(57)【要約】  本発明は、おむつ、トレーニングパンツ、又は成人用失禁製品など吸収性物品の身体に面する表面上に含まれるローション組成物に関する。該ローション組成物は、ヒト皮膚への排泄物又は経血の付着を低減する。ローション組成物は少なくとも２種の構成成分、２５℃で液体の第１化合物、及び２５℃で固体の少なくとも１種の第２化合物を含む。有効量のローション組成物は、着用者によって着用されることが意図される吸収性物品の身体に面する表面上に含まれる。【特許請求の範囲】
【請求項１】
２５℃で液体である少なくとも１種の第１化合物と、２５℃で固体である少なくとも１種の第２化合物とを含むローション組成物の、ヒト皮膚への排泄物又は経血の付着を低減するための使用であって、
前記第１化合物が、
（ａ）液体ポリエチレングリコール、液体ポリプロピレングリコール、及びいずれかの誘導体、
（ｂ）液体多価アルコール溶媒、
（ｃ）少なくとも１つの脂肪酸単位と、少なくとも１つのエチレングリコール単位とを含む液体脂肪酸エステル
からなる群から選択され、
前記第２化合物が、
（ｄ）固体ポリエチレングリコール、及び／若しくは固体ポリプロピレングリコール、並びに／又はいずれかの誘導体、
（ｅ）ＨＬＢ値が少なくとも１０の固体非イオン性界面活性剤、
（ｆ）固体脂肪酸、固体脂肪石鹸及び固体脂肪族アルコールからなる群から選択される固体脂肪族化合物、
（ｇ）エトキシル化天然油脂又はプロポキシル化天然油脂
からなる群から選択され、
有効量の前記ローション組成物が、着用者によって着用されることが意図される吸収性物品の身体に面する表面上に含まれる、使用。
【請求項２】
前記第１化合物が液体ポリエチレングリコールであり、かつ、前記第２化合物が固体ポリエチレングリコールであり、又は、
前記第１化合物が液体ポリエチレングリコールであり、かつ、前記第２化合物がＨＬＢ値が少なくとも１０の、固体エトキシル化脂肪酸及び固体エトキシル化脂肪族アルコールからなる群から選択される固体非イオン性界面活性剤であり、又は前記第１化合物が少なくとも１つの脂肪酸単位と、少なくとも１つのエチレングリコール単位とを含む液体脂肪酸エステルであり、かつ、前記第２化合物が固体ポリエチレングリコールであり、又は前記第１化合物が液体ポリエチレングリコールであり、かつ、前記第２化合物が固体脂肪酸若しくは固体脂肪石鹸である、請求項１に記載の使用。
【請求項３】
前記ローション組成物が、親水性であり、かつ、前記ローション組成物の重量で５重量％未満の水を含有する、請求項１又は２に記載の使用。
【請求項４】
前記ローション組成物が２５℃で固体又は半固体である、請求項１〜３のいずれか一項に記載の使用。
【請求項５】
前記第１化合物の量が総ローション組成物に基づき３〜９０重量％であり、前記第２化合物の量が総ローション組成物に基づき１０〜９７重量％であり、前記第１化合物と前記第２化合物の重量比が１：３２〜９：１である、請求項１〜４のいずれか一項に記載の使用。
【請求項６】
前記液体ポリエチレングリコールが１００ダルトン〜７２０ダルトン未満の分子量を有し、又は前記固体ポリエチレングリコールが７２０ダルトン〜１０００００ダルトンの分子量を有し、又はＨＬＢ値が少なくとも１０の前記固体非イオン性界面活性剤がポリエチレングリコールＣ１０〜Ｃ３０脂肪族アルコールエーテル及びポリエチレングリコールＣ１０〜Ｃ３０脂肪酸エステルからなる群から選択され、又は少なくとも１つの脂肪酸単位と、少なくとも１つのエチレングリコール単位とを含む前記液体脂肪酸エステルが、１つ若しくは２つのエチレングリコール単位を有するエトキシル化グリセリンＣ６〜Ｃ３０脂肪酸ジエステル及びエチレングリコールＣ６〜Ｃ３０脂肪酸ジエステルからなる群から選択される、請求項１〜５のいずれか一項に記載の使用。
【請求項７】
前記ローション組成物が、少なくとも１種の分散粒子状物質を更に含む、請求項１〜６のいずれか一項に記載の使用。
【請求項８】
前記吸収性物品が、おむつ、パンツ式おむつ、成人用失禁製品、タンポン、陰唇間装置、生理用ナプキン及びパンティライナーからなる群から選択される、請求項１〜７のいずれか一項に記載の使用。
【請求項９】
前記組成物が、消泡剤、抗菌剤、抗真菌剤、防腐剤、酸化防止剤、化粧用収れん剤、医薬品用収れん剤、生物学的添加物、植物性添加物、着色剤、脱臭剤、皮膚軟化剤、外面鎮痛剤、被膜形成剤、芳香剤、湿潤剤、保湿剤、乳白剤、皮膚保護剤、洗浄剤、乳化剤、可溶化剤、懸濁化剤、結合剤、吸収剤、緩衝剤、油脂からなる群から選択される少なくとも１種の追加成分を更に含み、好ましくは少なくとも１種の成分が植物性添加物、抗菌剤、防腐剤又は抗真菌剤である、請求項１〜８のいずれか一項に記載の使用。
【請求項１０】
前記ローション組成物が縞又は図形のパターン形状で非連続的に適用され、前記パターンが物品の長手方向長さにわたって不均質である、請求項１〜９のいずれか一項に記載の使用。
【請求項１１】
前記吸収性物品が１つ以上の拭き取り用品と組み合わされ、吸収性物品と拭き取り用品の比率が、好ましくは１：１〜１：３、好ましくは１：１〜１：２である、請求項１〜１０のいずれか一項に記載の使用。
【請求項１２】
前記吸収性物品が、トップシート、及び／又は１対のバリアカフ、及び／又は１対のレッグカフを備え、前記組成物が、前記トップシート、及び／又は前記１対のレッグカフ、及び／又は前記１対のバリアカフの少なくとも一部に適用され、所望により、前記トップシートが孔あきトップシートである、請求項１〜１１のいずれか一項に記載の使用。
【請求項１３】
２５℃で液体である少なくとも１種の第１化合物と、２５℃で固体である少なくとも１種の第２化合物とを含むローション組成物の、ヒト皮膚への排泄物又は経血の付着を低減するための使用であって、
前記第１化合物が、
メトキシイソプロパノール、プロピルエーテル、ジプロピレングリコールブチルエーテル、メチルプロパンジオール、プロピレンカーボネート、水溶性ポリプロピレングリコール、グリセリン、ソルビトール、水素添加デンプン加水分解産物、シリコーングリコール、及び液体ＰＥＧ誘導体、及び液体ポリプロピレングリコール又はその誘導体、
からなる群から選択され、
前記第２化合物が、
（ａ）固体ポリエチレングリコール、固体ポリプロピレングリコール、及びいずれかの誘導体、
（ｂ）ＨＬＢ値が少なくとも１０の固体非イオン性界面活性剤、
（ｃ）固体脂肪酸、固体脂肪石鹸及び固体脂肪族アルコールからなる群から選択される固体脂肪族化合物、
（ｄ）エトキシル化天然油脂又はプロポキシル化天然油脂
からなる群から選択され、
有効量の前記ローション組成物が、着用者によって着用されることが意図される吸収性物品の身体に面する表面上に含まれる、使用。
【請求項１４】
（ｉ）請求項１〜１３のいずれか一項で使用されるローション組成物を用意する工程と、
（ｉｉ）吸収性物品の身体に面する表面の少なくとも一部に有効量の前記ローション組成物を適用する工程と
を含む、ヒト皮膚への排泄物又は経血の付着を低減する方法であって、前記吸収性物品が着用者によって着用されるべき物品である、方法。
【発明の詳細な説明】
【技術分野】
【０００１】
おむつ、トレーニングパンツ又は成人用失禁製品など吸収性物品の身体に面する表面上に含まれるローション組成物は、ヒトの皮膚への排泄物又は経血の付着を低減することを目的として用いられる。ローション組成物は少なくとも２種の構成成分、２５℃で液体の第１化合物、及び２５℃で固体の少なくとも１種の第２化合物を含む。有効量のローション組成物は、着用者によって着用されることが意図される吸収性物品の身体に面する表面上に含まれる。本明細書の好ましい吸収性物品は、少なくとも前記ローション組成物を含むトップシートを備え、好ましい吸収性物品は、トレーニングパンツを含む幼児用（乳児用）おむつ、成人用失禁物品、生理用ナプキン、パンティライナーなどである。本明細書に記載するローション組成物は、皮膚への経血又は排泄物の付着を低減すると考えられ、これにより、経血又は排便（bowl movement）（ＢＭ）を簡単に除去できるようになる。
【背景技術】
【０００２】
おむつ及び生理用ナプキンなどの使い捨て吸収性物品は、着用者の皮膚に皮膚効果をもたらすため、時には排泄物又は経血の皮膚からの除去を改善するために、ローションを含むトップシートを有することが既知である。ここ数年、その焦点は、例えば、植物成分又は薬剤成分をローションに添加するなど、更なる皮膚への効果を提供するローションを、生理用ナプキン及びおむつに供給することであった。様々な種類のローションは、おむつかぶれの予防又は治療のような、様々な皮膚への効果をもたらすことは既知である。これらのローションは、吸収性物品のトップシートに適用することができ、例えば、使用中に着用者の皮膚に移動可能である。吸収性物品のトップシートへのローションの添加は、皮膚上の排便（ＢＭ）をより簡単に除去できるといった効果を提供することもまた既知である。
【０００３】
米国特許第５，９６８，０２５号（ロー（Roe）ら）、国際公開第９７／０５９０８号、同第９７／０５９０９号、及び米国特許出願公開第２００６／１４０９２４号では、皮膚への排便（ＢＭ）の付着を低減するためのローション付きトップシートを備える吸収性物品が記載され、このローション組成物は主に疎水性である。米国特許第３，４８９，１４８号（ダンカン（Duncan）ら）は、疎水性及び疎油性トップシートを備えたおむつを教示しており、前記トップシートの一部分を油性材料の不連続フィルムによりコーティングする。ダンカン（Duncan）らの参考文献に開示されたおむつ、及び疎水性ローションで処理されたその他のおむつの欠点は、疎水性及び疎油性トップシートは、内在する吸収性コアへの尿の移動を促進するのが遅いことである。排便（ＢＭ）及び経血の粘度は尿よりはるかに高いため、ダンカン（Duncan）らの参考文献に関連するその問題は、更に深刻である。それ故に、より多くの経血が、用品内に入って残留し、かつ着用者の皮膚又は毛髪上にはより少なくなるように、改善された流体処理を有するおむつや生理用品などの吸収性物品の必要性が引き続き存在する。国際公開第０５／０３５０１３号、同第００／６４５００号、同第００／６４５０１号、米国特許公開第２００２−１２０２４１号及び米国特許第６，７５６，５２０号では、保湿又は潤滑の向上、皮膚の表皮剥離の低減、皮膚の健康の向上、皮膚のバリア機能の強化、並びに皮膚刺激性の予防及び軽減など、様々な目的の親水性ローション組成物を有する吸収性物品が記載される。国際公開第０２／４９６８６号及び同第０２／７００２６号では、流体の移動を改善するローション組成物で処理された吸収性物品用有孔高分子フィルムウェブが記載される。
【先行技術文献】
【特許文献】
【０００４】
【特許文献１】米国特許第５，９６８，０２５号
【特許文献２】国際公開第９７／０５９０８号
【特許文献３】国際公開第９７／０５９０９号
【特許文献４】米国特許出願公開第２００６／１４０９２４号
【特許文献５】米国特許第３，４８９，１４８号
【特許文献６】国際公開第０５／０３５０１３号
【特許文献７】国際公開第００／６４５００号
【特許文献８】国際公開第００／６４５０１号
【特許文献９】米国特許公開第２００２−１２０２４１号
【特許文献１０】米国特許第６，７５６，５２０号
【特許文献１１】国際公開第０２／４９６８６号
【特許文献１２】国際公開第０２／７００２６号
【発明の概要】
【発明が解決しようとする課題】
【０００５】
しかしながら、発明者らは、皮膚への排泄物又は経血の付着を低減するいくつかの手段を有する、着用者によって着用されるべき吸収性物品、例えば、おむつ、生理用ナプキンなどを供給するという、まだ対処されていないニーズがあることを見出した。物品使用後、あらゆる排泄物又は経血の除去が改善されていることが、更に望ましい。また、望ましい流体獲得及び分配特性を維持しなくてはならず、着用者に対する快適さを徹底しなくてはならない。
【課題を解決するための手段】
【０００６】
発明者らは、本明細書で以下に記載するローション組成物を、着用者の皮膚に接触する吸収性物品の１か所以上の表面（例えばトップシート）に適用することにより、皮膚への排泄物又は経血の付着を低減でき、物品が使用され着用者から取り外された後に、排泄物又は経血を除去することが、更に容易に達成できることを見出している。
【０００７】
本発明は、２５℃で液体である少なくとも１種の第１化合物と、２５℃で固体である少なくとも１種の第２化合物とを含むヒト皮膚への排泄物又は経血の付着を低減するためのローション組成物の使用に関し、第１化合物が、
（ａ）液体ポリエチレングリコール及び／若しくは液体ポリプロピレングリコール、並びに／又はそれぞれの誘導体、
（ｂ）液体多価アルコール溶媒、
（ｃ）少なくとも１つの脂肪酸単位及び少なくとも１つのエチレングリコール単位とを含む液体脂肪酸エステルからなる群から選択され、
第２化合物が、
（ｄ）固体ポリエチレングリコール、
（ｅ）ＨＬＢ値が少なくとも１０の固体非イオン性界面活性剤
（ｆ）固体脂肪酸、固体脂肪石鹸及び固体脂肪族アルコールからなる群から選択される固体脂肪族化合物、
（ｇ）ＰＥＧ−１５０ホホバなどのエトキシル化天然油脂又はプロポキシル化天然油脂
からなる群から選択され、
有効量のローション組成物が、おむつ、パンツ式おむつ、成人用失禁製品、生理用ナプキン又はパンティライナーなど、着用者によって着用されることが意図される吸収性物品の身体に面する表面上に含まれる。
【０００８】
本発明は更に、２５℃で液体である少なくとも１種の第１化合物と、２５℃で固体である少なくとも１種の第２化合物とを含むローション組成物の、ヒト皮膚への排泄物又は経血の付着を低減するための使用に関し、第１化合物は、メトキシイソプロパノール、プロピルエーテル、ジプロピレングリコールブチルエーテル、メチルプロパンジオール、プロピレンカーボネート、水溶性ポリプロピレングリコール、グリセリン、ソルビトール、水素添加デンプン加水分解産物、シリコーングリコール、及び液体ＰＥＧ誘導体からなる群から選択され、第２化合物は、
（ａ）固体ポリエチレングリコール、及び／若しくは固体ポリプロピレングリコール、並びに／又はいずれかの誘導体、
（ｂ）ＨＬＢ値が少なくとも１０の固体非イオン性界面活性剤、
（ｃ）固体脂肪酸、固体脂肪石鹸、及び固体脂肪族アルコールからなる群から選択される固体脂肪族化合物、
（ｄ）ＰＥＧ−１５０ホホバなどのエトキシル化天然油脂又はプロポキシル化天然油脂
からなる群から選択され、
有効量のローション組成物は、おむつ、パンツ式おむつ、成人用失禁製品、生理用ナプキン、又はパンティライナーなど、着用者によって着用されることが意図される吸収性物品の身体に面する表面上に含まれる。
【０００９】
本発明は更に、
（ｉ）本明細書に記載するローション組成物を用意する工程と、
（ｉｉ）吸収性物品の身体に面する表面の少なくとも一部に有効量のローション組成物を適用する工程とを含む、ヒト皮膚への排泄物又は経血の付着を低減する方法に関し、吸収性物品は、例えばおむつ、パンツ式おむつ、成人用失禁製品、生理用ナプキン、又はパンティライナーなど、着用者によって着用されるべき物品である。
【発明を実施するための形態】
【００１０】
本明細書において、「含む」及び「備える」とは、最終結果に影響しない他の要素及び／又は他の工程を加えることができることを意味する。これらの用語の各々は、「から成る」及び「から本質的に成る」という用語を包含する。
【００１１】
本明細書において、「身体に面する表面」は、吸収性物品、及び／又は、その構成要素材料の、着用者の身体に向いている表面を指し、一方「衣類に面する表面」は、吸収性物品が着用された時に着用者から離れた側に向いている、吸収性物品、及び／又は、その構成要素材料の対向する表面を指す。吸収性物品、及びトップシート、バックシート、吸収性コアを包含する構成要素、並びにその構成要素のあらゆる個々の層は、通常、身体に面する表面と衣類に面する表面を有する。
【００１２】
本明細書において、「身体」とは、皮膚及び毛髪を包含する哺乳類の表皮組織により形成される外層を意味する。身体の特性は、状況、年齢、性別、及び個々の性質により劇的に異なる傾向がある。例えば、新生児及び幼児の皮膚は、大人の皮膚とは異なり、毛髪を有する皮膚は、毛髪のない皮膚とは異なる。
【００１３】
本明細書で使用するとき、「吸収性物品」とは、身体から排出される様々な排出物を吸収及び収容するために着用者の皮膚に対して着装されることを意図する装置を指す。吸収性物品の例として、おむつ、トレーニングパンツなどのパンツ式おむつ、おむつホルダー、失禁用パンツ等の失禁用物品が挙げられる。吸収性物品の更なる例は、タンポン、陰唇間装置、生理用ナプキン、及びパンティライナーなどの婦人衛生物品である。本発明の好ましい実施形態では、吸収性物品は、おむつ又はパンツ式おむつなどの失禁用物品である。
【００１４】
本明細書で使用するとき、「タンポン」とは、膣管又は他の身体の空洞部に、膣管又は他の身体の空洞部からの流体の吸収のために挿入される吸収性構造体の任意の種類を指す。基礎的なタンポン構造体は、米国特許第１，９２６，９００号、ハース（Haasへ１９３３年９月１２日発行；米国特許第１，９４６，９１１号、ハース（Haas）へ１９３４年７月３日発行；及び米国特許第３，３２２，１２３号、ギズウォルド（Giswold）らへ１９６７年５月３０日発行、に記載されている。本明細書で使用するとき、「陰唇間吸収性物品」とは、月経時のために、また失禁時のバリアとして、又は月経時かつ失禁時のバリアとして、女性着用者の陰唇間空間の中に挿入可能な吸収装置を指す。好適な陰唇間吸収性物品は、例えば、米国特許第５，７６２，６４４号、名称「トイレ処分可能陰唇内吸収用具（Toilet-Disposable Absorbent Interlabial Device）」、オズボーン（Osborn）らへ１９９８年６月９日発行、ＰＣＴ国際公開特許ＷＯ  ９８／２９０７８（PCT Publication No. WO 98/29078）、名称「薄型で快適さのある陰唇間吸収構造（Thin Comfortable Interlabial Absorbent Structure）」、オズボーン（Osborn）らへ１９９８年７月９日発行、オズボーン（Osborn）らの名で公開、米国意匠特許第４０４，８１４号、名称「陰唇間吸収装置（Interlabial Absorbent Device）」、１９９９年１月２６日発行、米国特許第６，２７０，４８６号、名称「陰唇内吸収用具（Absorbent Interlabial Device）」、ブラウン（Brown）らへ２００１年８月７日発行、に開示されている。本明細書で使用するとき、「パンティライナー（panty liner）」又は「パンティライナー（panti-liner）」という用語は、一般に女性がその月経期間中に着用する生理用ナプキンほど嵩高くない吸収性物品を指す。好適な吸収性物品は、例えば、米国特許第４，７３８，６７６号、名称「パンティライナー（Pantiliner）」オズボーン（Osborn）、１９８８年４月１９日発行、に開示されている。
【００１５】
本明細書で使用するとき、「おむつ」とは、一般に、乳幼児及び失禁症状のある人によって、その着用者の下方の胴体廻りに装着される失禁用物品を指す。好適なおむつは、例えば米国特許第３，８６０，００３号、ブエル（Buell）へ１９７５年１月１４日発行、米国特許第５，１５１，０９２号、ブエル（Buell）らへ１９９２年９月２９日発行、米国特許第５，２２１，２７４号、ブエル（Buell）らへ１９９３年６月２２日発行、及び米国特許第５，５５４，１４５号、ロー（Roe）らへ１９９６年９月１０日発行、に開示されている。本明細書で使用するとき、「失禁用物品」とは、それらが成人又は他の失禁症状のある人々によって着用されるか否かにかかわらず、吸収性物品用のパッド、下着、挿入物、吸収性物品用の吸収能力向上物、ブリーフ、ベッドパッドなどを指す。好適な失禁用物品は、例えば、米国特許第４，２５３，４６１号、ストリックランド（Strickland）ら、１９８１年３月３日発行；米国特許第４，５９７，７６０号及び同第４，５９７，７６１号、ブエル（Buell）に発行；上記の米国特許第４，７０４，１１５号；米国特許第４，９０９，８０２号、アール（Ahr）らに発行；米国特許第４，９６４，８６０号、ギプソン（Gipson）ら、１９９０年１０月２３日発行、及びＰＣＴ国際公開特許ＷＯ  ９２／１１８３０（PCT Publication No. WO 92/11830）ノエル（Noel）ら、１９９２年７月２３日公開、に開示されている。本明細書で使用するとき、「パンツ式おむつ」とは、固定された側部と脚部開口を備える失禁用物品を指す。パンツ式おむつは、着用者の脚を脚部開口へ挿入して、着用者の胴体下部周囲の適所へパンツ式おむつを滑らせることによって、着用者上の適所に着装される。好適なパンツ式おむつは、例えば、米国特許第５，２４６，４３３号（１９９３年９月２１日ハッセ（Hasse）らに発行）に開示されている。
【００１６】
本明細書で使用するとき、「使い捨て」とは、１回の使用後、洗濯する、修復する、ないしは別の方法で吸収性物品として再利用することを意図しない、１回使用を目的とする吸収性物品を記載するのに使用される。
【００１７】
本明細書で使用するとき、「接合した」という用語は、ある要素を他の要素に直接固着することによって、要素を別の要素に直接固定する構成；ある要素を中間部材（類）に固着し、次にその中間部材を他の要素に固着することによって、ある要素を他の要素に間接的に固定する構成；ある要素が別の要素と一体化する構成、すなわち、ある要素が他の要素の本質的に一部分である構成を包含する。
【００１８】
本明細書で使用するとき、用語「長手方向」は、吸収性物品が着用されるとき、立位の着用者を左と右に体を半分に二分する垂直平面と一般に一直線になる（例えば、ほぼ平行になる）、吸収性物品の平面の線、軸線又は方向を意味する。本明細書で使用するとき、用語「横断方向」又は「横方向」は、互いに換言可能であり、長手方向に対して一般に垂直である吸収性物品の平面内に位置する線、軸線又は方向を意味する。
【００１９】
本明細書で使用するとき、「移行する」、「移行」、又は「移行している」という用語は、ローション組成物が、物質の上を移動する又は間に存在する物質を通って浸透することにより、１つの場所から別の場所へ移動することを意味する。
【００２０】
ローション組成物との関連において本明細書で使用する場合「移動」という用語は、ローション組成物が、移行によるのではなく、吸い取り効果によるなど、ローション組成物との直接的接触により、吸収性物品の１つの領域から着用者の皮膚又は吸収性物品上の別の領域に移動することを指す。
【００２１】
本明細書で使用するとき、トップシート、バリアカフ、又はレッグカフなどの吸収性物品の表面に「適用する」とは、少なくともローション組成物の一部が、使用中に着用者の皮膚に接触できるように、前記表面であるトップシート、バリアカフ、又はレッグカフが、その表面の少なくとも一部上に、少なくとも一部のローション組成物層を含むことを意味する。皮膚と接触させるため、典型的には、トップシート、バリアカフ、又はレッグカフの身体に面する表面がコーティングされる。ローション組成物は、表面中に部分的に又は完全に浸透する場合もあり、適用されるそれぞれの吸収性物品の構成要素、例えばトップシート、バリアカフ、又はレッグカフに浸透する場合もある。
【００２２】
本明細書で記載される全ての分子量の単位はダルトンである。
【００２３】
本明細書で使用するとき、「粒子状物質」とは、本ローション組成物を本吸収性物品に適用する前に、ローション組成物において、不溶性又は非分子的に分散性又は生物学的に反応しない、並びに吸収性物品に適用する場合、粒子状を維持する、ローション組成物の構成成分を意味する。当該技術分野において既知であるように、顆粒、ビーズ、球体、微小球、粉末など、全ての種類の粒子状を含む。
【００２４】
用語「付着を低減すること」及び「固着防止」は同義で用いられる。これは、固着防止ローション組成物を含まない対照と比較したとき、皮膚上にとどまる残留人工糊様便（artificial pasty bowel movement）（ＡＢＭ）がより少ないことを意味する。典型的には、皮膚の処理を行わない場合、皮膚表面上にとどまる残留ＡＢＭが３０％を超える。
【００２５】
使用するのに有益なローション組成物は、本明細書に記載する方法で評価するとき、皮膚表面上に、３０％未満、好ましくは約１０％、８％、７％、５％、４％、３％又は２％未満の残留ＡＢＭを残すことがある。固着防止剤又はローション組成物によって処理されていないが、別に上記の方法を受けた皮膚は、陰性対照としての役割を果たす。
【００２６】
本明細書では、用語「糞便」及び「排便（bowl movement）」、「ＢＭ」は同じ意味で使用される。
【００２７】
本発明のローション組成物
ローション組成物は、好ましくは、例えば５０℃を超える、又は６０℃を超える、又は８０℃を超える、又は所望により、１００℃を超える好適なプロセス状態で流動性を有する（例えば液体）が、室温（２５℃）で固体又は半固体である。用語、半固体及び非液体は、本明細書で同じ意味で使用される。
【００２８】
本明細書のローション組成物は、好ましくは、追加のスキンケア利益をもたらすことができるローション組成物である。本発明のローション組成物は、２５℃、すなわち周囲温度において典型的には非液体、すなわち固体であり、又は半固体であることがより多い。「半固体」とは、ローション組成物が、擬塑性又は塑性流体に典型的なレオロジーを有することを意味する。剪断力がかかっていない場合には、ローション組成物の外観は非液体の固体であり得るが、剪断速度が増加すると流動性になり得る。これは、ローション組成物には固体の構成成分が含有されている一方で、一部の液体構成成分も含有されているという事実によるものである場合がある。本発明のローション組成物は、ローション組成物の移行を最小限にするため、好ましくは、室温で固体又は少なくとも半固体である。ローション組成物は、好ましくは、４５℃以上の潜在的「応力」保存状態を超える最終融点（１００％液体）を有する。非液体とは、直径１５ｃｍの円形ガラスプレートの中央に配置される１ｇの物質が、２５℃及び相対湿度５０％の条件下でガラスプレートを４５°に傾けるとき、１分以内にガラスプレートから流れ落ちないことを意味する。
【００２９】
一実施形態において、ローション組成物は、３重量％〜７５重量％が室温（２０℃）で液体であるものである。２５％〜７５％、又は更に３０％〜８０％が、体温（３７℃）で液体であってよい。一実施形態において、液体化合物の総量は固体化合物の総量より多く、例えば液体量は、５０重量％を超え、又は少なくとも５５重量％、又は少なくとも６０重量％である。吸収性物品に適用される場合、本発明のローション組成物は、通常の接触、着用者の動き（それにより摩擦が生じる）及び／又は体温によって着用者の皮膚に移動可能である。
【００３０】
有効量のローション組成物は、吸収性物品の身体に面する表面上に含まれる。有効量とは、ローション組成物を含まない吸収性物品と比較して、吸収性物品を着用する着用者の、ヒトの皮膚への排泄物又は経血の付着を低減する効果を示す量である。典型的には、本明細書に記載する方法で測定するとき、未処理の対照物品は、少なくとも３０％の残留排泄物をもたらす。理論に束縛されるものではないが、付着力が汚れ又は排出物内の凝集力より小さくなる場合があるので、ローション組成物が汚れ又は排出物と皮膚表面との間の付着力を減らす場合があり、それによって（例えば拭うことにより生成される）剪断力の適用により汚れ又は排出物が皮膚表面から分離できるようになると考えられている。
【００３１】
一般には、ローション組成物は、安全かつ有効な量で本明細書に記載する方法で吸収性物品に適用され、この安全かつ有効な量が、トップシートの少なくとも一部に、及び／又は、バリアカフの少なくとも一部に、及び／又はレッグカフの少なくとも一部に適用される。本発明による吸収性物品に対するローション組成物の有効量は、約０．００１５ｍｇ／ｃｍ２（０．０１ｍｇ／ｉｎ２）〜約１００．５ｍｇ／ｃｍ２（１００ｍｇ／ｉｎ２）、好ましくは約０．００３ｍｇ／ｃｍ２（０．０２ｍｇ／ｉｎ２）〜約１２．４ｍｇ／ｃｍ２（８０ｍｇ／ｉｎ２）、より好ましくは約０．０２ｍｇ／ｃｍ２（０．０１５ｍｇ／ｉｎ２）〜約７．７５ｍｇ／ｃｍ２（５０ｍｇ／ｉｎ２）とすることができる。典型的には、少なくとも約０．０００１５ｍｇ／ｃｍ２（０．００１ｍｇ／ｉｎ２）〜約１５．５ｍｇ／ｃｍ２（１００ｍｇ／ｉｎ２）、好ましくは約０．０００６ｍｇ／ｃｍ２（０．００４ｍｇ／ｉｎ２）〜約１１ｍｇ／ｃｍ２（７２ｍｇ／ｉｎ２）、より好ましくは約０．００５ｍｇ／ｃｍ２（０．０３ｍｇ／ｉｎ２）〜約６．２ｍｇ／ｃｍ２（４０ｍｇ／ｉｎ２）のローション組成物が、吸収性物品を１回、典型的には約３時間使用する間に皮膚に移動されるように、安全かつ有効な量の本発明のローション組成物が吸収性物品に適用される。吸収性物品は一般に日中は３〜６時間毎に、夜間の保護に１度取り換えられるが、結果として少なくとも安全かつ有効な量の約０．０００４５ｍｇ／ｃｍ２（０．００３ｍｇ／ｉｎ２）〜約１２４ｍｇ／ｃｍ２（８００ｍｇ／ｉｎ２）、好ましくは約０．００１８ｍｇ／ｃｍ２（０．０１２ｍｇ／ｉｎ２）〜約８８ｍｇ／ｃｍ２（５７６ｍｇ／ｉｎ２）、より好ましくは約０．０１５ｍｇ／ｃｍ２（０．０９ｍｇ／ｉｎ２）〜約４９．６ｍｇ／ｃｍ２（３２０ｍｇ／ｉｎ２）のローション組成物が、一日間隔（２４時間周期）で投与される。しかしながら、本明細書に記載された吸収性物品を介する本発明のローション組成物の着用者の体上への移動は、一日、数日、数週間、数ヶ月、又は数年の間の適切な間隔で生じ得る。
【００３２】
好ましくは、第１液体化合物の総量は、総ローション組成物に基づき３〜９０重量％、又は２０〜８０重量％、又は３０〜７０重量％であり、固体第２化合物の総量は、総ローション組成物に基づき１０〜９７重量％、又は２０〜８０重量％、又は３０〜７０重量％であり、第１化合物と第２化合物の重量比は、１：３２〜９：１、又は１：９〜９：１、又は２：８〜８：２、又は３：７〜７：３である。
【００３３】
好ましくは、ローション組成物は、親水性であり、かつ、本質的に非水性である。非水性とは、ローション組成物が水を含有しないか、少量のみ、例えば、５重量％未満、又は更には１重量％未満の水を含むことを意味する。しかしながら、これらの量は、吸収性物品が製造された時点、すなわち、ローション組成物が吸収性物品上に適用された時点のローション組成物を指す。本発明のローション組成物はやや吸湿性であり、したがって、特に高相対湿度の環境では、周囲の雰囲気から相当量の水を吸収することができる。したがって、吸収性物品を比較的長期間、例えば数か月、更には数年保管する場合、ローション組成物中に含有される水分量が増加し、５重量％を超える可能性がある。
【００３４】
ローション組成物の水溶性は、以下のように決定する。１００ｍｇのローション組成物を、ローションが２．５ｃｍ×５ｃｍのガラススライドを覆うように、既知の重量のガラススライド（２．５ｃｍ×８ｃｍ）に載せる。続いてスライドを、室温において、７５ｍＬの純水を含むビーカー内に置く。水とその中のローション組成物は、撹拌しない。４時間後、ガラススライドをビーカーから取り出し、６０℃、０％  ＲＨの乾燥機に入れ、水を除去する。乾燥後、重量を測定し、スライド上のローション組成物の残留量を決定する。乾燥後のプレート上のローション組成物の残留量が６０％より少ない、より好ましくは２０％より少ない、及び更により好ましくは１０％より少ない場合、本発明のローション組成物は水溶性である。比較的良好な水溶性を有するローション組成物が、本発明の意味の範囲内で親水性とみなされる。
【００３５】
疎水性ローション組成物、例えば上述した先行技術に記載されるものは、ある程度の固着防止性能を示すことがあるものの、脂っぽい又はぬるぬるした好ましくない感触を皮膚上に残す傾向があるなど、多少の欠点に悩まされる。また、典型的にはそれらはぬるつきがあるため、洗浄用具と汚れ又は排出物の相互作用を少なくする結果、油性汚れが生じ、洗浄性が悪くなる。親水性ローション組成物は、これら欠点の多くを克服する。親水性ローション組成物は、典型的には皮膚上に脂っぽい感触を残さず、典型的には非水溶性、疎水性ローション組成物のようなぬるつきがないため、より良い洗浄性とより少ない油性汚れをもたらすことができる。
【００３６】
ローション組成物は２５℃で液体の少なくとも１種の第１化合物、及び２５℃で固体の少なくとも１種の第２化合物を含む。第１化合物は、
（ａ）液体ポリエチレングリコール、液体ポリプロピレングリコール、及び／又はそれぞれの誘導体、
（ｂ）液体多価アルコール溶媒、
（ｃ）少なくとも１つの脂肪酸単位と、少なくとも１つのエチレングリコール単位とを含む液体脂肪酸エステルからなる群から選択される。
【００３７】
第２化合物は、
（ｄ）固体ポリエチレングリコール、固体ポリプロピレングリコール、及び／又はそれぞれの誘導体、
（ｅ）ＨＬＢ値が少なくとも１０の固体非イオン性界面活性剤、
（ｆ）固体脂肪酸、固体脂肪石鹸、及び固体脂肪族アルコールからなる群から選択される固体脂肪族化合物、並びに
（ｇ）ＰＥＧ−１５０ホホバなどのエトキシル化天然油脂又はプロポキシル化天然油脂からなる群から選択される。
【００３８】
本発明の好ましい実施形態は、前記第１化合物が液体ポリエチレングリコールであり、かつ、前記第２化合物が固体ポリエチレングリコールである組み合わせ、又は前記第１化合物が液体ポリエチレングリコールであり、かつ、前記第２化合物が固体エトキシル化脂肪酸及び固体エトキシル化脂肪族アルコールからなる群から選択されるＨＬＢ値が少なくとも１０の固体非イオン性界面活性剤の組み合わせ、又は前記第１化合物が少なくとも１つの脂肪酸単位及び少なくとも１つのエチレングリコール単位を含む液体脂肪酸エステルであり、かつ、前記第２化合物が固体ポリエチレングリコールである組み合わせ、又は前記第１化合物が液体ポリエチレングリコールであり、かつ、前記第２化合物が固体脂肪酸又は固体脂肪石鹸である組み合わせを含むローション組成物を使用する。
【００３９】
液体多価アルコール溶媒
本明細書で使用するとき、液体多価アルコール溶媒は、２５℃で液体の、少なくとも２つの炭素原子、及び少なくとも２つのアルコール性ヒドロキシ基を有する有機化合物であり、本発明の目的のために、別の好ましい群として以下に記載される、ポリエチレングリコール、ポリプロピレングリコール及び誘導体は除く。例としては、グリセロール、エチレングリコール、ジエチレングリコール、プロピレングリコール、ブチレングリコール、ジプロピレングリコール、メチルプロパンジオール、及びこれらの誘導体であり、例えば、上述の末端保護単位を有するモノ−又はジ−末端保護ジエチレングリコール、モノ−又はジ−末端保護ジプロピレングリコール、モノ−又はジ−末端保護エチレングリコール、及びモノ−又はジ−末端保護プロピレングリコールを含む。
【００４０】
本明細書の好ましい液体化合物としては、ＰＥＧ−８ラウレートなどのエトキシル化脂肪酸（例えば、リポ・ケミカルズ（Lipo Chemicals）よりリポペグ（Lipopeg）４−Ｌとして入手可能）、ＰＥＧ−２５ヒマシ油などのエトキシル化脂肪酸エステル（油）（例えば、グローバルセブン社（Global-Seven Inc.）よりヘトキシド（hetoxide）Ｃ−２５として入手可能）、例えばＰＥＧ−１０ポリグリセリル−２ラウレートなどのグリセロールエステル（例えば、クラリアント社（Clariant Corp.）よりホスタセリン（Hostacerin）ＤＧＬとして入手可能）、レシチン（例えば、アメリカン・レシチン社（American Lecithin Co.）よりアルコレック（Alcolec）ＢＳとして入手可能）、Ｃ８〜Ｃ１０のアルキル多糖エーテルなどの高分子界面活性剤（例えば、コグニス社（Cognis Corp.）からグルコパン（Glucopan）２２５ＤＫとして入手可能）、ＰＯＥ（２０）ソルビタンモノパルミテートなどのソルビタン誘導体（例えば、クローダ社（Croda Inc.）より入手可能）、アルキルポリグルコシドなどのスクロース及びグルコースエステル及び誘導体（例えば、セピック社（Seppic Inc.）よりサイマルゾル（Simulsol）ＡＳ４８として入手可能）が挙げられる。
【００４１】
液体ポリエチレングリコール及び誘導体、並びに液体ポリプロピレングリコール及びその誘導体。
【００４２】
液体ポリエチレングリコール及び誘導体は、２５℃で液体である。ポリエチレングリコール（ＰＥＧ）は、少なくとも３つの単位のエチレングリコールから作られ、一般式ＨＯ−（ＣＨ２−Ｏ−ＣＨ２−Ｏ）ｘ−Ｈを有し、ｘが３〜１５又は８〜１２の数である。分子量（重量平均）は１００〜７２０未満、好ましくは１００又は３５０〜７００である。典型的な液体ポリエチレングリコールは、ＰＥＧ−４、ＰＥＧ−６、ＰＥＧ−７、ＰＥＧ−８、ＰＥＧ−９、ＰＥＧ−１０、ＰＥＧ−１２及びＰＥＧ−１４として既知である。好適な市販製品は、例えば、クラリアント（Clariant）の平均分子量が３８０〜４１０のポリグリコール（Polyglykol）４００、又は平均分子量が５７０〜６３０のポリグリコール（Polyglykol）６００である。
【００４３】
液体ＰＥＧ及びＰＰＧ誘導体として、ＰＥＧ及びＰＰＧのエステル及び／又はエーテル誘導体を挙げてもよい。ＰＥＧ及びＰＰＧの液体誘導体として、特に、１つ以上の末端保護基（すなわち、それぞれモノ又はジ末端保護）を有する、ヒドロキシル基と反応可能な有機化合物由来のＰＥＧ及びＰＰＧの誘導体（例えば、上述したような）が挙げられる。好ましい末端保護基としては、メチル、エチル、プロピル、イソプロピル、ブチル、イソブチル、三級ブチル、及びベンジルが挙げられ、例えば、モノ−又はジ−メチル又はエチル末端保護ＰＥＧ又はＰＰＧである。いくつかの実施形態では、メチルを好ましい末端保護単位としてよい。
【００４４】
更に、本発明に有用なポリプロピレン及び末端保護単位は、同時係属の米国特許出願第６０／９０１７９３号（２００７年２月１６日出願）に記載される。
【００４５】
好ましい液体モノ−末端保護ＰＥＧは、例えば、クラリアント社（Clariant Corporation）から入手可能なポリグリコール（Polyglykol）Ｍ４００などのポリエチレングリコールモノメチルエーテルである。好ましい液体ＰＥＧとして、ＭＷが５００のポリエチレングリコールジメチルエーテル（シグマ・アルドリッチ（Sigma Aldrich）から入手可能）も挙げられる。
【００４６】
本明細書で更に有用であるのは、液体エチレンオキシド−プロピレンオキシドコポリマー、及びポリエチレン−ポリプロピレンブロックコポリマー（クラリアント社（Clariant Corp.）からのゲナポール（Genapol）ＰＦ１０−、ＥＯ−ＰＯブロックコポリマーなどの（ＥＯ−ＰＯブロックコポリマー）である。
【００４７】
液体アルキレン（例えばエチレン）グリコール脂肪酸エステル
好適な液体アルキレン、又は好ましくはエチレングリコール脂肪酸エステルは、例えば、１つ以上のアルキレングリコール単位、好ましくはエチレングリコール単位、及び１つ又は２つの脂肪酸のエステルである。好ましい化合物は、一般式
Ｒ１−（ＯＣＨ２ＣＨ２）ｍＯ−Ｒ２を有し、式中、Ｒ１及びＲ２は、水素、又は例えば６〜３０個、又は８〜２２個の炭素原子を有する脂肪酸残基であり、両方が水素ではないという条件付きで同一又は異なることができ、ｍは少なくとも数字の１である。好ましくは、Ｒ１及びＲ２は異なっており、ｍは１、２、又は３である。典型的なエチレングリコールエステルは、例えば、ジエチレングリコールジエチルヘキサノエート／ジイソノナノエート、ジエチレングリコールジイソノナノエート、ジエチレングリコールジラウレート、ジエチレングリコールジオクタノエート／ジイソノナノエート、及びジエチレングリコールジステアレートとして既知である。エチレングリコールエステルを含有する好適な市販製品の混合物は、例えば、ダーモル（DERMOL）ＭＯ又はダーモル（DERMOL）４８９である。好ましいのは、室温（２５℃）で液体のワックスエステルである。ドコセニルエイコセノエート、イコセニルエイコセノエート及びイコセニルドコセノエートを含有するホホバ油などの天然由来のものでもよい。
【００４８】
固体ポリエチレングリコール及びポリプロピレングリコール並びにこれらの誘導体
固体ポリエチレングリコール、ポリプロピレングリコール、及びこれらの誘導体は、本明細書で定義するように、２５℃で固体（又は、上で定義した半固体）である。固体ポリエチレングリコールは、典型的には、少なくとも１６単位のエチレングリコールから製造され、一般式：ＨＯ−（ＣＨ２−Ｏ−ＣＨ２−Ｏ）ｙ−Ｈを有し、ｙが少なくとも１６、例えば２０〜２２０、又は４０〜１５０の数字である。分子量（重量平均）は７２０を超え、例えば７２０〜１０００００、又は９５０、又は１５００、又は２０００、又は２７００〜３００００である。典型的な固体ポリエチレングリコールは、ＰＥＧ−２０、ＰＥＧ−３２、ＰＥＧ−４０、ＰＥＧ−４５、ＰＥＧ−５５、ＰＥＧ−６０、ＰＥＧ−７５、ＰＥＧ−９０及びＰＥＧ−１００として既知である。好適な市販製品は、例えば、クラリアント（Clariant）の平均分子量が２７００〜３０００のポリグリコール（Polyglykol）３０００、又は平均分子量が３７００〜４５００のポリグリコール（Polyglykol）４０００である。
【００４９】
固体ＰＥＧ及びＰＰＧ誘導体として、ＰＥＧ及びＰＰＧのエステル及びエーテル誘導体を挙げてもよい。固体誘導体として、特に、上述したようなものなど、１つ以上の末端保護基（すなわち、それぞれモノ又はジ末端保護されている）を有する、ＰＥＧ及びＰＰＧの誘導体（例えば、上述したような）が挙げられる。
【００５０】
例えば、ポリグリコール（Polyglykol）Ｍ４０００（クラリアント社（Clariant Corporation）からのポリエチレングリコールモノメチル）などの固体モノ−末端保護ＰＥＧを使用でき、及び／又は、ポリエチレングリコールジメチルエーテルＭＷ２０００（シグマ・アルドリッチ（Sigma Aldrich）から）などの固体ジ−末端保護ＰＥＧを使用できる。
【００５１】
本明細書で更に有用であるものとして、例えば、クラリアント社（Clariant Corp.）からのゲナポール（Genapol）ＰＦ８０、ＥＯ−ＰＯブロックコポリマーなどの、固体ＥＯ−ＰＯコポリマー及びＥＯ−ＰＯブロックコポリマーの場合がある。
【００５２】
固体非イオン性界面活性剤
好適なＨＬＢ値が少なくとも１０の固体非イオン性界面活性剤として、固体ＰＥＧ由来非イオン性界面活性剤、固体ポリアルキレングリコール脂肪族アルコールエーテル、例えば、固体ポリエチレングリコール脂肪族アルコールエーテル、又は例えば固体ポリエトキシレート化脂肪族アルコールが挙げられる。脂肪族アルコール単位は、８〜３０個の炭素原子、好ましくは１２〜２２個の炭素原子を有することができる。平均アルコキシル化度、例えばエトキシル化度は、２〜２００、好ましくは少なくとも１０、少なくとも２０又は少なくとも３０とすることができる。好ましくは、これらの界面活性剤は、ＨＬＢ値が少なくとも１０、又は少なくとも１２、又は少なくとも１３で、例えば最大１７の非イオン性界面活性剤である。ポリエチレングリコール脂肪族アルコールエーテルは、一般式：Ｒ（ＯＣＨ２ＣＨ２）ｎＯＨを有し、式中、Ｒは例えば８〜３０、又は１２〜２２個の炭素原子を有するアルキル基、又はアルキル基の組み合わせであり、ｎはエトキシル化度、例えば２〜２００である。好適なＰＥＧ由来の界面活性剤として、ＰＥＧ−１２ステアレート、ＰＥＧ−１００ステアレート、例えば、エボニック・デグサ（Evonik/Degussa）から入手可能なテゴ・アシッド（Tego Acid）Ｓ１００Ｐが挙げられる。
【００５３】
好適な市販製品として、例えば、ＢＲＩＪ  ７６、ＢＲＩＪ  ７８、及びＢＲＩＪ  ７００（クローダ社（Croda Inc.）から入手可能なステアレス１００）も挙げられる。
【００５４】
その他の好ましい界面活性剤として、セテアレス（Ceteraeth）−１０、セテアレス（Ceteareth）−２０、ポリソルベート−６５が挙げられる。更に、ラウレス２３を用いてもよい。
【００５５】
好適な脂肪族アルコール脂肪酸エステルは、Ｃ１０〜Ｃ３０の脂肪族アルコールとＣ１０〜Ｃ３０の脂肪酸のエステルである。これらは、一般式：Ｒ３−ＣＯ−Ｏ−Ｒ４を有し、式中Ｒ３−ＣＯは、Ｃ１０〜Ｃ３０の脂肪酸残基であり、Ｏ−Ｒ４は、Ｃ１０〜Ｃ３０の脂肪族アルコール残基である。これらは、飽和又は不飽和であることができる。
【００５６】
その他の好適な非イオン性界面活性剤は、例えば、エトキシル化アルコール、エトキシル化脂肪酸、エトキシル化脂肪酸エステル及び油、グリセロールエステル、スクロース及びグルコースエステル及びこれらの誘導体、グリコシド、ソルビタン誘導体、例えばソルビタンモノパルミテート（sorbitan monoplamitate）である。
【００５７】
その他の好ましい化合物として、例えばグローバルセブン社（Global-Seven Inc.）よりヘトキシド（Hetoxide）Ｃ−２００として入手可能な、ＰＥＧ４０硬化ヒマシ油、ＰＥＧ−２０ソルビタンモノオレエート、ＰＥＧ−２００ヒマシ油などのＰＥＧ油；アビテック社（Abitec Corp.）よりカプロール（Caprol）ＰＧＥ８６０として入手可能な、デカグリセロールモノ／ジオレエートなどのグリセロールエステル；例えば、アメリカン・レシチン社（American Lecithin Co.）よりアルコレックパウダー（Alcolec Powder）として入手可能な大豆リン脂質などのレシチン誘導体；例えば、リポ・ケミカルズ（Lipo Chemicals）よりリポソルブ（Liposorb）ＴＳ−２０として入手可能なポリソルベート６５などのソルビタン誘導体；例えば、ローディア社（Rhodia, Inc.）よりレオザン（Rheozan）として入手可能な、スクロース及びグルコースエステル及びサクシノグリカンなどの誘導体が挙げられる。
【００５８】
固体脂肪族化合物：
固体脂肪族化合物は、脂肪酸、固体脂肪石鹸、及び固体脂肪族アルコールからなる群から選択される。固体脂肪族化合物は、固体（又は、２５℃において、本明細書に記載する方法により少なくとも半固体）である。脂肪族化合物は、好ましくは１０〜３０、又は１２〜２２個の炭素原子を有する。脂肪族化合物は飽和又は不飽和であることができ、直鎖又は分枝鎖であることができる。好ましいのは、飽和、直鎖脂肪族化合物である。固体脂肪酸の例は、デカン酸、ラウリン酸、ミリスチン酸、パルミチン酸、ステアリン酸、アラキジン酸又はベヘン酸である。好ましい固体脂肪族アルコールは、少なくとも１２個の炭素原子を有する直鎖、不飽和のｌ−アルカノールである。固体脂肪族アルコールの例は、ラウリルアルコール、ミリスチルアルコール、セチルアルコール、ステアリルアルコール、アラキジルアルコール又はベヘニルアルコールである。
【００５９】
固体脂肪石鹸は、脂肪酸の金属塩である金属石鹸である。脂肪石鹸の脂肪酸成分は、上記のものと同じである。好適な金属カチオンは、ナトリウム、カリウム、リチウム、アルミニウム、マグネシウム、カルシウム、マンガン、鉄、ジルコニウム、セリウム、亜鉛、コバルト又はバナジウムである。好ましいのは、カルシウム又はマグネシウム塩、例えばステアリン酸カルシウムなどの、低水溶性金属石鹸である。
【００６０】
代表的組成物：
第１液体成分は、メトキシイソプロパノール、プロピルエーテル、ジプロピレングリコールブチルエーテル、メチルプロパンジオール、プロピレンカーボネート、エチレングリコール、ジエチレングリコール、プロピレングリコール、ジプロピレングリコール、グリセリン、ソルビトール、水素添加デンプン加水分解産物、シリコーングリコール、又は、任意の上述若しくは例示した、本明細書に記載するポリエチレングリコール若しくは誘導体、ポリプロピレングリコール若しくは誘導体、ポリエチレングリコール由来界面活性剤、ポリプロピレン由来界面活性剤、エチレングリコール又は誘導体、プロピレングリコール又は誘導体、ジエチレングリコール若しくは誘導体、及びジプロピレングリコール若しくは誘導体からなる群から選択される１種以上の化合物を含有してよい。
【００６１】
第２固体成分は、固体ポリエチレングリコール又はその誘導体；固体ポリプロピレングリコール又はその誘導体；ＨＬＢ値が少なくとも１０の固体非イオン性界面活性剤；固体脂肪酸、固体脂肪石鹸、及び固体脂肪族アルコールからなる群から選択される固体脂肪族化合物；固体ＰＥＧ由来界面活性剤；固体ＰＰＧ由来界面活性剤；ＰＥＧ−１５０ホホバなどのエトキシル化天然油脂又はプロポキシル化天然油脂を含む群の、例えば１種以上の（上で定義したような）固体化合物を含有してよい。
【００６２】
代表的なローション組成物は、
前記第１液体成分が液体ポリエチレングリコールを含有してよく、かつ、前記第２化合物がＨＬＢ値が少なくとも１０の固体非イオン性界面活性剤を含有してよく、ただし、前記固体非イオン性界面活性剤がアルコキシル化（例えばエトキシル化）脂肪族アルコールのとき、ＨＬＢ値は少なくとも１３であり、あるいは
前記第１成分が少なくとも１つの脂肪酸単位及び少なくとも１つのエチレングリコール単位を含む液体脂肪酸エステルを含有してよく、かつ、前記第２化合物が固体ポリエチレングリコールを含有してよく、あるいは、
前記第１成分が液体ポリエチレングリコールを含有してよく、かつ、前記第２化合物が固体脂肪酸、及び固体脂肪石鹸、及び固体脂肪族アルコールからなる群から選択される固体脂肪族化合物を含有してよい。
【００６３】
好ましくは、前記固体脂肪族化合物が固体脂肪酸を含有するとき、液体の総量は固体の総量よりも大きい。
【００６４】
一実施形態において、液体成分は、１００〜７２０未満、好ましくは３５０〜７００の分子量（重量平均）を有するポリエチレングリコールである。ローション組成物が、２０重量％〜８０重量％、又は３０重量％〜７０重量％、又は４０重量％〜６０重量％のこの液体ポリエチレングリコールを含有するのが好ましい場合がある。例えば、５０重量％のＭＷが４００のポリエチレングリコールは、ポリグリコール４００とも呼ばれる。
【００６５】
一実施形態において、固体成分は、必要に応じ、７２０を超える、例えば７２０〜１０００００、又は９５０〜３００００、又は３０００〜２００００、又は１００００までの分子量（重量平均）を有するポリエチレングリコール又は誘導体である。ローション組成物が、２０重量％〜８０重量％、又は３０重量％〜７０重量％、又は４０重量％〜６０重量％のこの液体ポリエチレングリコール、例えば５０重量％のポリグリコール４０００を含有するのが好ましい場合がある。
【００６６】
一実施形態において、固体成分は固体非イオン性界面活性剤、好ましくは、一般式：Ｒ（ＯＣＨ２ＣＨ２）ｎＯＨを有する固体ポリエチレングリコール脂肪族アルコールエーテルであり、式中、Ｒは例えば８〜３０、又は１２〜２２個の炭素原子を有するアルキル基、又はアルキル基の組み合わせであり、ｎはエトキシル化度、例えば２〜２００である。ローション組成物が、２０重量％〜８０重量％、又は３０重量％〜７０重量％、又は４０重量％〜６０重量％のこの液体ポリエチレングリコール、例えば５０重量％のステアレス−１００を含有するのが好ましい場合がある。
【００６７】
粒子状物質
一実施形態において、ローション組成物は、ヒト皮膚への排泄物又は経血の付着を更に低減するため、少なくとも１種の粒子状物質を追加的に含有する。粒子状物質は、吸収性物品上への適用中、粒子状である。また粒子状物質は、皮膚に接触する場合、及び／又は、尿、経血又は排泄物に接触する場合、粒子状のままである。それ故に、粒子状物質は非水溶性であり、上述したローション組成物の処理温度を超える融解温度を有する。
【００６８】
粒子状物質は、１ナノメートルから２ｍｍ、好ましくは１ナノメートルから５００マイクロメートル、更に好ましくは０．１マイクロメートルから２ｍｍ、更になお好ましくは５０ナノメートルから１マイクロメートルの間、又は本明細書に説明されるいずれの範囲内の、いずれの範囲又は個別価値のいずれの平均粒径をも有する場合がある。好ましくは、最小平均粒径は、少なくとも０．１マイクロメートル又は好ましくは少なくとも１マイクロメートル、又は好ましくは少なくとも１０マイクロメートル、又は更に好ましくは少なくとも２０マイクロメートル、好ましくは最大約５００マイクロメートル、又は一部の実施形態において最大約１００マイクロメートル、その他の実施形態において、最大約３０マイクロメートルである。一実施形態において、適用されるローション組成物、及び／又は、適用されるコーティングは、１００マイクロメートルより大きい等価直径を有する粒子の２５％未満の粒子を備えることが好ましいことがある。別の実施形態において、適用されるローション組成物、及び／又は、適用されるコーティングは、５マイクロメートル未満の等価直径を有する粒子の２５％未満の粒子を備えることが好ましいことがある。更に別の実施形態において、適用されるローション組成物、及び／又は、適用されるコーティングは、１００マイクロメートル未満の等価直径を有する粒子の２５％未満の粒子を備えることが好ましいことがある。
【００６９】
粒子材料は、（ローション組成物の重量で）０．０５重量％〜２５重量％、好ましくは０．０５重量％〜１５重量％、更に好ましくは０．０５重量％〜５重量％、又は０．１重量％〜２５重量％、又は更に好ましくは０．２５重量％〜２０重量％の濃度でローション組成物中に存在するが、典型的には、０．５重量％〜１０重量％、又は最大５重量％で存在してもよい。
【００７０】
好適には、該粒子は、約０．５グラム／ｃｍ３及び約２．５グラム／ｃｍ３の密度を有してもよい。好ましくは、該密度は、約０．５グラム／ｃｍ３から約２．０グラム／ｃｍ３、更に好ましくは０．８グラム／ｃｍ３から約１．５グラム／ｃｍ３である。一実施形態において、好ましくは、該密度は、粒子の沈殿を最小限に抑えるように約１グラム／ｃｍ３であり、該密度は、粒子の浮揚を最小限に抑えるように約０．８グラム／ｃｍ３より大きい。
【００７１】
一実施形態において、該ローション組成物は、アルミナケイ酸塩、ケイ酸塩、シリカ、雲母、及び／又は、タルクを含む、無機粒子を含んでもよい。また、粘土も使用してもよい。しかしながら、本発明において、粒子状物質は有機材料であることが好ましい場合がある。好ましくは、該粒子は、非活性、及び／又は、非反応性材料である。該粒子は、多孔質、又は無孔質であってよい。該粒子は、いずれの形状を有してもよいが、好ましくは平滑面を有し、好ましくは球形状又は板状粒子であってもよい。該粒子は、例えば、親水性などの特性を変更するために、例えば、界面活性剤など、表面上又はその一部にコーティング剤を含んでもよい。特に、該粒子がオレフィンである場合、該粒子は、粒子の製造中に添加される溶融添加剤を含んでもよい。
【００７２】
好適な材料には、ポリスチレン粒子、ポリプロピレン、及び／又は、ポリエチレン（コ）ポリマー粒子、ポリテトラフルオロエチレン粒子、ポリメチルシルセスキオキサン粒子、ナイロン粒子などが挙げられるが、これらに限定されない。好適な市販の粒子状物質としては、ニュージャージー州モリスタウン（Morristown, NJ）のハネウェル・インターナショナル（Honeywell International）から商標名アキュミスト（ACUMIST）で入手可能なポリエチレン粒子；ニュージャージー州サウスプレインフィールド（South Plainfield, NJ）のコボ（KOBO）からＢＰＡとして入手可能なポリメチルメタクリレート粒子（微小球）；コボ（KOBO）からＢＰＤとして入手可能なラクトン架橋ポリマー粒子（微小球）；コボ（KOBO）からナイロン（NYLON）ＳＰとして入手可能なナイロン１２粒子（微小球）；コボ（KOBO）からトスパール（TOSPEARL）として入手可能なポリメチルシルセスキオキサン粒子（微小球）；コボ（KOBO）からセロビーズ（CELLO-BEADS）として入手可能なセルロース粒子（微小球）；ニューヨーク州タリータウン（Tarrytown, NY）のマイクロ・パウダーズ社（Micro Powders, Inc.）からマイクロスリップ（MICROSLIP）として入手可能なポリテトラフルオロエチレン粉末；マイクロ・パウダーズ（Micro Powders）からマイクロケア（MICROCARE）として入手可能な天然ワックスと微粒化ポリマーのブレンド、並びに、ジョージア州ダルース（Duluth, GA）のエクスパンセル（Expancel）からエクスパンセル（EXPANCEL）として入手可能な塩化ビニリデン、アクリロニトリル、及びメチルメタクリレートのコポリマー粒子が挙げられるが、これらに限定されない。また、マイクロイース（MICROEASE）としてマイクロ・パウダーズ（Micro Powders）から入手可能な微紛化ワックスを組み込んでもよい。好ましいのは、テキサス州ヒューストン（Houston, TX）のイクイスター・ケミカル社（Equistar Chemical Corp.）からマイクロセン（MICROTHENE）として入手可能なポリオレフィン粒子（粉末）である。特に好ましいのは、イクイスター（Equistar）からのマイクロセン（MICROTHENE）ＦＮ５１０−００である。
【００７３】
任意成分
着用者に対する利益をより高めるために、追加の成分を本発明のローション組成物に含めることができる。例えば、使用できる成分の部類とそれらの利益としては、消泡剤（処理中の泡立ち傾向を低減する）；抗菌活性物質；抗真菌活性物質；防腐活性物質；酸化防止剤（製品の一体性）；収れん剤−化粧用（皮膚上の引き締め又はヒリヒリ感を誘発する）；収れん剤−医薬品用（皮膚又は粘膜に適用すると、滲出、排泄、又は出血を抑制し、凝固タンパク質により作用する医薬品製品）；生物学的添加物（製品の性能や消費者に対する魅力度を高める）；着色剤（製品に色を付与する）；脱臭剤（不快なにおいを低減又は除去し、身体面上への悪臭形成を防止する）；皮膚軟化剤（皮膚表面上又は角質層内に留まり、潤滑剤として作用し、剥離を減少し、皮膚の外観を改善する能力があるため、軟らか、滑らか、かつ柔軟な皮膚の外観の維持に役立つ）；外面鎮痛剤（皮膚の感覚受容器の抑制により局所的鎮痛、麻酔、又は鎮痒作用を有する局所適用医薬品）；被膜形成剤（乾燥時に連続的なフィルムを生成することにより皮膚上の活性成分をとどまらせる）；芳香剤（消費者に対する魅力度）；湿潤剤（皮膚の最上層の水分含有量を高める）；天然保湿剤（ＮＭＦ）及び当該技術分野において既知のその他皮膚保湿成分；乳白剤（製品の透明度、つまり透明な外観を低減する）；皮膚コンディショニング剤；その他溶媒（化粧品又は医薬品で有用であると判明している成分を溶解するために使用される液体）；及びその他界面活性剤（例えば、洗浄剤、乳化剤、可溶化剤、及び懸濁化剤として）が非限定的に挙げられる。好適なアニオン性界面活性剤は、例えば、リン酸エステル、カルボン酸／脂肪酸、リグニン及びリグニン誘導体、ポリアクリル酸コポリマーである。好適なカチオン性界面活性剤（cationc surfactants）は、例えば、エトキシル化アミン、四級界面活性剤、リン脂質、アミンオキシドである。好適な両性界面活性剤は、例えば、ベタイン誘導体、イミダゾリン及びイミダゾリン誘導体、レシチンである。
【００７４】
本ローション組成物に用いるのに好適な消泡剤は、例えば、２−エチルヘキサノール、ポリジメチルシロキサン、グリセリルモノオレエート、グリコール、エチレンオキシド／プロピレンオキシドブロックポリマーである。
【００７５】
本ローション組成物に用いるのに好適な抗菌剤は、例えば、塩化アルキルジメチルベンジルアンモニウム、スルホンアミド、精油（茶木油）、銀、エタノール、トリクロサン、粘土である。
【００７６】
本ローション組成物に用いるのに好適な抗真菌剤は、例えば、安息香酸、パラベン、ポリアミノプロピルビグアニド、茶木油、クロルフェネシンである。
【００７７】
本ローション組成物に用いるのに好適な防腐剤は、例えば、塩化ベンザルコニウム、エタノール、クロルヘキシジン、ヨードプロピルブチルカルバメートである。
【００７８】
本ローション組成物に用いるのに好適な酸化防止剤は、例えば、トコフェロール（ビタミンＥ）及びこれらの誘導体、ブチル化ヒドロキシトルエン、没食子酸プロピル、ノニルフェノール、アスコルビン酸（ビタミンＣ）及びこれらの誘導体である。
【００７９】
本ローション組成物に用いるのに好適な化粧用収れん剤は、例えば、マンサク、カラミン、ＳＤアルコール、酸化亜鉛、オートミール、キュウリである。
【００８０】
本ローション組成物に用いるのに好適な医薬品用収れん剤は、例えば、アンモニウムミョウバン、塩化亜鉛である。
【００８１】
本ローション組成物に用いるのに好適な生物学的添加物は、例えば、アラントイン、キトサン、コラーゲン、糖蛋白質、リン脂質である。
【００８２】
本ローション組成物に用いるのに好適な植物性添加物は、例えば、エキナシア、ユッカ、ヤナギラン、緑茶、紅茶、中国茶、カミツレ、アロエ及びラベンダーである。
【００８３】
本ローション組成物に用いるのに好適な着色剤は、例えば、βカロチン、食品、医薬品及び化粧品用として認可された色素、二酸化チタン、食品、医薬品及び化粧品用染料、雲母である。
【００８４】
本ローション組成物に用いるのに好適な脱臭剤は、例えば、重曹、塩化セチルピリジウム、ゼオライト、トリクロサン、リシノール酸亜鉛である。
【００８５】
本ローション組成物に用いるのに好適な皮膚軟化剤は、例えば、ワセリン、カカオバター、トリグリセリド、シクロメチコン、ホホバワックスである。
【００８６】
本ローション組成物に用いるのに好適な外面鎮痛剤は、例えば、ベンジルアルコール、カンファー、メントール、メチルニコチネート、レゾルシノールである。
【００８７】
本ローション組成物に用いるのに好適な被膜形成剤は、例えば、アクリレートコポリマー、セルロースゴム、ポリエチレン、ＰＶＰ、ポリクアテルニウムである。
【００８８】
本ローション組成物に用いるのに好適な芳香剤は、例えば、ベンジルアルコール、カミツレ油、ラベンダーオイル、メンチルラクテート、ファルネソールである。
【００８９】
本ローション組成物に用いるのに好適な湿潤剤は、例えば、グリセリン、ハチミツ、尿素、スクロース、ＰＥＧ−４である。
【００９０】
本ローション組成物に用いるのに好適な保湿剤は、例えば、アロエ抽出物、グリセリン、セテス−２４、ラノリン、ＰＥＧ−４０ステアレート、乳酸ナトリウム、水である。
【００９１】
本ローション組成物に用いるのに好適な乳白剤は、例えば、セチルアルコール、シリカ、カオリン、炭酸亜鉛、タルクである。
【００９２】
本ローション組成物に用いるのに好適な皮膚保護剤は、例えば、カラミン、ジメチコン、鉱油、カオリン、酸化亜鉛である。
【００９３】
本ローション組成物に用いるのに好適な溶媒は、例えば、ベンジルアルコール、イソパラフィン、グリコール、ＰＥＧ−４、プロピレングリコール、鉱油である。
【００９４】
本ローション組成物に用いるのに好適な洗浄剤は、例えば、ココアミドプロピルベタイン、デシルポリグリコシド、Ｃ２０〜４０パレス−４０、ステアレス−５０、ＰＥＧ−１００ステアレートである。
【００９５】
本ローション組成物に用いるのに好適な乳化剤は、例えば、セテス−１０、グリセリルパルミテート、レシチン、ＰＥＧ−１０ステアレート、スクロースラウレートである。
【００９６】
本ローション組成物に用いるのに好適な可溶化剤は、例えば、セテアレス−４０、ＰＥＧ−４０ヒマシ油、ポロキサマー、ＰＥＧ−４０ステアレート、ポリソルベートである。
【００９７】
本ローション組成物に用いるのに好適な懸濁化剤は、例えば、塩化ベンザルコニウム、ポリソルベート８５、リグノスルホン酸ナトリウム、アクリレートコポリマー、ベントナイト、ＰＥＩ、ＰＶＰ、シリカである。
【００９８】
本ローション組成物に用いるのに好適な結合剤は、例えば、アルギン酸、セルロースゴム、ゼラチン、デンプン、合成又は天然ワックスである。
【００９９】
本ローション組成物に用いるのに好適な吸収剤は、例えば、セルロース、デキストリン、デンプン、カオリン、シリカ、タルクである。
【０１００】
本ローション組成物に用いるのに好適な緩衝剤は、例えば、炭酸カルシウム、クエン酸ナトリウム、尿素、リン酸二ナトリウム、グリシンである。
【０１０１】
本ローション組成物に用いるのに好適な油脂は、例えば、アボカド油、カプリル酸トリグリセリド（caprilic triglyceride）、カプリン酸トリグリセリド、ラウリン酸トリグリセリド、ニンジン油、ココヤシ油、クルミ油、水素添加魚油である。
【０１０２】
本発明の好ましい任意成分は、植物性添加物、抗菌剤、防腐剤及び抗真菌剤である。
【０１０３】
吸収性物品
ａ）失禁用物品
以下、失禁用物品の一実施形態としておむつを説明する。しかしながら、当業者には周知のように、本明細書で以下に記載するほとんどの構成要素及び材料が、パンツ式おむつなど他の失禁用物品に対しても応用可能である。
【０１０４】
おむつには、長手方向軸及び横断方向軸がある。おむつは更に、身体に面する内側表面、及び内側表面の反対側の衣類に面する外側表面を有する。
【０１０５】
おむつの１つの末端部分は、おむつの前側腰部区域として構成される。対向する末端部分は、おむつの後側腰部区域として構成される。おむつの中間部分は、前側及び後側腰部区域の間で長手方向に延びる股領域として構成される。股領域は、おむつを着用した際、通常、着用者の脚の間に位置するおむつの部分である。
【０１０６】
おむつのシャーシは、おむつの本体を備える。シャーシは、液体透過性トップシート及びバックシートを備える。シャーシは、トップシートとバックシートとの間に挿入させた吸収性コアを更に含む。シャーシは、シャーシの横断方向外縁部、長手方向縁部、及び終縁部で画定される周辺部を有する。本明細書において、おむつ、パンツ式おむつ又は成人用失禁製品は、典型的には更にレッグカフ及び／又はバリアカフを備える。
【０１０７】
バックシートは、当技術分野において既知のように、通常は液体不透過性バックシートであってもよい。一実施形態において、液体不透過性バックシートは、約０．０１ｍｍ〜約０．０５ｍｍの厚さを有する熱可塑性フィルムなどのプラスチック薄膜を含む。好適なバックシート材料は、排出物がバックシートを通過することを防ぎながらも、吸収性物品から水蒸気を抜くことができる通気性材料を通常は含む。好適なバックシートフィルムとしては、インディアナ州テレホート（Terre Haute）のトレデガー・インダストリーズ社（Tredegar Industries Inc）により製造され、商品名Ｘ１５３０６、Ｘ１０９６２、及びＸ１０９６４で販売されているものが挙げられる。バックシート又はそのいずれかの部分は、一方向以上に弾性的に延伸性であってもよい。
【０１０８】
トップシートは、柔軟で、柔らかな感触で、着用者の皮膚を刺激しないものであることが好ましい。更に、トップシートは液体透過性であって、液体（例えば、尿）はその厚さ全体に容易に浸透できる。好適なトップシートは、織布及び不織布材料、孔あき成形熱可塑性フィルム、孔あきプラスチックフィルム、及びハイドロフォーミングされた熱可塑性フィルムなどのポリマー材料、多孔質発泡体、網状発泡体、網状熱可塑性フィルム、及び熱可塑性スクリムなどの広範囲の材料から製造されてもよい。好適な織布材料及び不織布材料は、天然繊維（例えば、木材繊維若しくは綿繊維）、合成繊維（例えば、ポリエステル繊維、ポリプロピレン繊維、若しくはポリエチレン繊維などのポリマー繊維）、又は天然繊維と合成繊維との組み合わせで作製することができる。トップシートは、好ましくは、トップシートを通過し、吸収性コアに収容される液体から着用者の皮膚を隔離するため（すなわち、再湿潤を防ぐため）、疎水性材料で作られる。トップシートを疎水性材料で作製するならば、好ましくはトップシートの少なくとも身体に面する表面、又はその一部を親水性になるよう処理して、液体がより迅速にトップシートを通って移動するようにする。これにより、身体排出物が、トップシートを通過して引き込まれて吸収性コアに吸収されるよりも、トップシートから流出する可能性が低減する。トップシートを界面活性剤で処理することによって、トップシートに親水性を持たせることができる。好ましい実施形態では、トップシートは、表面湿潤性の傾向を低減し、結果として、コアに吸収された尿を、濡れた後にユーザの皮膚から離して維持することを容易にすることができる不織布ウェブである。
【０１０９】
本明細書において、吸収性物品は、液体及びその他の身体排出物の改善された封じ込めを提供する、いわゆるサイドパネル、及び／又は、（伸縮性のある）バリアカフを含む１つ又はそれ以上の対の（伸縮性のある）レッグカフを有し、一実施形態において、これらのカフは、本明細書に記載のコーティングローション組成物を含んでもよい。好適なカフは、例えば、米国特許第３，８６０，００３号、同第４，８０８，１７８号及び同第４，９０９号、同第４，６９５，２７８号及び同第４，７９５，４５４号に記載される。またカフは、上記に記載の不織布材から作製してもよく、疎水性であることが好ましい。
【０１１０】
トップシート、及び／又は、レッグカフ、及び／又は、バリアカフのための好適な材料は、スパンボンド層（Ｓ）及びメルトブローン層（単数又は複数）（Ｍ）を含むウェブを含み、それによって、ウェブの表面は、スパンボンド層（単数又は複数）により形成される。一実施形態において、ウェブは、例えば２５ｇ／ｍ２（ｇｓｍ）超過の比較的高い坪量を有する場合がある。好適なウェブとして、例えば、３４ｇｓｍのＳＭＭＳ（各メルトブローン１２ｇｓｍ及び各スパンボンド層５ｇｓｍ）、３４ｇｓｍのＳＭＭＳ（各メルトブローン１０ｇｓｍ及び各スパンボンド層７ｇｓｍ）、３０ｇｓｍのＳＭＭＳ（各メルトブローン１０ｇｓｍ及び各スパンボンド層５ｇｓｍ）、３０ｇｓｍのＳＭＭＳ（各メルトブローン８ｇｓｍ及び各スパンボンド層７ｇｓｍ）、３４ｇｓｍのＳＭＳ（メルトブローン２０ｇｓｍ及び各スパンボンド層７ｇｓｍ）又は、例えば、１７ｇｓｍのＳＭＭＳを互いに積層した２層のウェブを含むラミネートウェブが挙げられる。
【０１１１】
本明細書において、トップシート、及び／又は、バリアカフ、及び／又は、レッグカフに、バックシートを直接的又は間接的に取り付け、又は接合してもよい。
【０１１２】
吸収性コアはトップシートとバックシートとの間に通常は配置される。吸収性コアには、一般に圧縮可能かつ快適で、着用者の皮膚に刺激を与えず、尿及び他の体の排出物などの液体を吸収及び保持可能な吸収性材料を含有させてもよい。
【０１１３】
吸収性コアは、多種多様の大きさ及び形状（例えば、方形、砂時計形、「Ｔ」字形状、非対称形など）で、かつ、一般にエアフェルトと呼ばれる粉砕木材パルプなど、使い捨ておむつ及び他の吸収性物品に広く使用されている多種多様の液体吸収性材料から製造することができる。他の好適な吸収性材料としては、縮みセルロース詰め物、コフォームを包含するメルトブローンポリマー、架橋されたセルロースファイバー、ティッシュラップ及びティッシュラミネートを含むティッシュ、吸収性フォーム、吸収性スポンジ、超吸収性ポリマー、吸収性ゲル材料、又はあらゆる同等の材料若しくは材料の組み合わせが挙げられる。吸収性コアの構成及び構造は多様であってもよく、例えば、吸収性コアは、様々なキャリパーゾーン、親水性勾配、超吸収性勾配、若しくはより低い平均密度及びより低い平均坪量獲得帯を有していてもよく、又は、１つ以上の層又は構造を含んでもよい。吸収性コアの全体的な吸収能力は、しかしながら、おむつの設計負荷及び意図される用途に適合しなければならない。更に、乳児から成人にまで及ぶ着用者に対応するように、吸収性コアの大きさ及び吸収能力を変更してもよい。
【０１１４】
本発明の吸収性物品のトップシートを孔あきとすることもでき、すなわち、トップシートは、開口寸法が少なくとも約０．２ｍｍ２である複数個の開口部を有する。トップシートは、好ましくは、少なくとも約１０％の開口領域を有し、開口領域は全開口部の合計である。
【０１１５】
本明細書において、トップシートは、排泄物（又は経血）を肛門カフ又は膣カフとも称される、前記第２のトップシート下の空間へ通り抜けさせるために十分に大きい１つ又はそれ以上の開口部を有するトップシートであってもよい。例えば、２００５年９月１３日に出願された米国特許出願公開第２００６／００５８７６６  Ａ号では、糞便物質を収容するようように適応される少なくとも１つの開口部を有するトップシートが提供され、トップシート及びその開口部が、それぞれ前側領域及び後側領域を有する、吸収性物品が開示される。吸収性コアとトップシートとの間に空間が提供され、吸収性物品は、使用中生殖器をカバーし、前記開口部の前側領域の中、下、又は上に配置される生殖器カバーシートを更に含む。更に好適な吸収性物品は、例えば、米国特許第６，４８２，１９１号、米国特許出願公開第２００４／００９２９０２  Ａ号、同第２００４／００９２９００  Ａ号、同第２００４／０１６２５３８  Ａ号及び同第２００６／００５８７６５  Ａ号に開示される。
【０１１６】
更に、失禁用物品は、前側及び後側腰部バンド、及び／又は典型的には腰部バンドに接合された、当該技術分野において既知のような締着装置を含んでもよい。好ましい締結装置は、締結タブ及びランディング領域を含み、締結タブが、おむつの後ろ領域に取り付けられ又は接合され、ランディング領域は、おむつの前領域の一部分である。
【０１１７】
ｂ）婦人衛生物品
一実施形態において、本発明のローション組成物は、好ましくは、婦人衛生物品上へのローション組成物適用から身体へと移動する。これらの製品は、トップシート、バックシート、及びトップシートとバックシートとの間に配置された吸収性コアを含むことも可能であり、各構成成分は身体に面する表面及び衣類に面する表面を有する。
【０１１８】
吸収性物品は規格に適合し、柔らかな感触で、着用者の身体に刺激がないものなど、いずれか既知の又はその他の有効なトップシートを含んでよい。好適なトップシート材料としては、着用者の身体に向かって配向され、身体に接触して、流体がトップシートを通って着用者の皮膚に逆流することなく、身体の排泄物がそれを通って迅速に浸透できる、液体透過性材料が挙げられる。トップシートはトップシートを通る流体の迅速な移動を可能にできる一方、ローション組成物が着用者の身体の外側又は内側部分の上へ移動又は移行するようにする。好適なトップシートは生理用ナプキン、パンティライナー等のような婦人衛生物品を製造する分野で周知である、織布材料及び不織布材料；孔あき成形熱可塑性フィルム、孔あきプラスチックフィルム及び交絡加工繊維孔あきフィルムを含む孔あきフィルム材料；ハイドロフォーミングされた熱可塑性フィルム；多孔質発泡体；網状発泡体；網状熱可塑性フィルム；熱可塑性スクリム；又はこれらの組み合わせのような種々の材料から製造することができる。
【０１１９】
トップシートが不織布ウェブの形態の不織布繊維性材料を含むときに不織布ウェブは不織布ウェブを作製する任意の既知の手順により製造してよく、この非限定的な例としては、スパンボンディング、カーディング、ウェットレイド、エアレイド、メルトブローン、ニードルパンチング、機械交絡、熱機械交絡及び水流交絡が挙げられる。
【０１２０】
本発明の婦人衛生物品は、バックシートも備える。バックシートは任意の既知の又は他の有効なバックシート材料であることができ、バックシートは婦人衛生物品に吸収され、収容された排出物が外部に漏れるのを防止する。バックシートとしての使用に好適な可撓性材料としては、生理用ナプキン、パンティライナー等のような婦人衛生物品を作製する分野で周知のような、織布材料及び不織布材料、積層組織、ポリエチレン及び／若しくはポリプロピレンの熱可塑性フィルムのような高分子フィルム、フィルムコーティングされている不織布材料のような複合材又はこれらの組み合わせが挙げられるが、これらに限定されない。
【０１２１】
婦人衛生物品はまた、吸収性コアも備える。吸収性コアはトップシートとバックシートの間に典型的には配置される。吸収性コアの大きさ及び形状は吸収能力要件に適合するように、かつ着用者／ユーザに快適性を提供するように変更することができる。本発明に用いるのに好適な吸収性コアは、液体吸収性材料が吸収能力要件に適合するように構成又は構築することができるという条件で、吸収性物品に用いられる当該技術分野において既知のいかなる液体吸収性材料にすることができる。吸収性コアとして使用するのに好適な液体吸収性材料の非限定的な例としては、生理用ナプキン、パンティライナー等のような婦人衛生物品を作製する分野で周知である、一般的にエアフェルトと称される粉砕木材パルプ；捲縮セルロース塊；ヒドロゲル形成性ポリマーゲル化剤のような超吸収性ポリマーを含む吸収性ゲル材料；化学的に硬化、変性又は架橋されたセルロース繊維；コフォームを含むメルトブローンポリマー；けん縮ポリエステル繊維を含む合成繊維；ティッシュラップ及びティッシュラミネートを含むティッシュ；毛管路繊維；吸収性フォーム；吸収性スポンジ；合成ステープルファイバー；ピートモス；若しくはいずれかの同等の材料；又はこれらの組み合わせが挙げられる。
【０１２２】
本明細書における生理用ナプキン又はパンティライナーは、例えば着用者の下着に取り付ける、いわゆるウィングをカフとして含んでもよい。本明細書において、生理用ナプキン、及び／又はパンティライナーは、好ましくは、バックシート、及び／又はウィング（カフ）に含まれた締着手段を含んでもよい。少なくともバックシートにある、又は取り付けられる接着取り付け手段であることが好ましい。
【０１２３】
ｃ）本発明のローション組成物を含む吸収性物品と拭き取り用品の組み合わせ
本発明のローション組成物を含む吸収性物品を、汚れ又は排出物を洗浄及び除去するのに使用する１つ以上の拭き取り用品と共にパッケージ化することができる。１つの吸収性物品を１つ以上の拭き取り用品と共に１つの個別の包装とすることもでき、吸収性物品１つのみと拭き取り用品１つ、又は吸収性物品１つのみと拭き取り用品数点を持ち運びたい場合、外出中のユーザには特に便利である。あるいは、複数の本発明のローション組成物を含む吸収性物品が、複数の拭き取り用品と共にパッケージ化される。後者の場合、吸収性物品の数を拭き取り用品の数と同じに、又は、拭き取り用品の数を吸収性物品の数より多くすることができる。
【０１２４】
１つ以上の吸収性物品と１つ以上の拭き取り用品の組み合わせでは、吸収性物品が失禁用物品であることが好ましい。
【０１２５】
拭き取り用品を、乾式拭き取り用品又は湿式拭き取り用品とすることができる。一実施形態において、拭き取り用品はローション付き拭き取り用品であり、すなわち、拭き取り用品は、固着防止効果をもたらすローションを含む。しかしながら、典型的には、拭き取り用品上に適用される固着防止ローションは、吸収性物品上に適用される固着防止ローションとは異なる。
【０１２６】
好ましいローション付き拭き取り用品は、基材と、基材に接触しているローションと、を含み、ローションは、固着防止剤と、例えば、２００６年１０月３１日に出願され、Ｒ．Ｍマーシュ（R.M Marsh）らに譲渡された米国特許出願第６０／８５５４２７号に開示されるような性能向上剤を含む。性能向上剤は、ローションの約３重量％以下の濃度で存在してもよい。固着防止剤は、水溶性であってもよい。
【０１２７】
固着防止剤は、非高分子固着防止剤、高分子固着防止剤、アルコキシル化ポリオール、及びこれらの組み合わせからなる群から選択されてもよい。性能向上剤は、被膜形成剤、付着助剤、レオロジー変性剤、及びこれらの組み合わせからなる群から選択されてもよい。
【０１２８】
ローションは、皮膚軟化剤及び界面活性剤を更に含んでもよい。
【０１２９】
「基材」は、一般に不織布材料であって、身体部分をクレンジングするのに使用される１つの材料を記載する一般用語である。特に、多くの現在使用可能な基材は、排便後の肛門周囲部のクレンジングを対象にしている場合がある。他の基材が、顔又は身体部分の洗浄に利用できる。
【０１３０】
基材は、不織布材料であってもよい。「不織布」は、本明細書では、連続繊維の組立体、共押出繊維、非連続繊維、及びこれらの組み合わせから、織る又は編むことなく、スパンボンディング、カーディング、メルトブローイング、エアレイイング、湿式レイイング、コフォーム、又はこうした目的のために当該技術分野において公知の他のこうしたプロセスにより作製される繊維構造体を指す。不織布構造は、前記繊維組立体の１つ以上の層を含んでもよく、各層は、連続繊維、共押出繊維、不連続繊維及びこれらの組み合わせを含んでもよい。
【０１３１】
基材の繊維は、いずれかの天然のセルロース材料、及び／又は完全な合成材料であってもよい。天然繊維類の例としては、広葉樹源、針葉樹源又は他の非木材植物類からの繊維などのセルロース性天然繊維類を挙げることができる。天然繊維類は、セルロース、デンプン及びこれらの組み合わせを含んでもよい。
【０１３２】
基材は、約１５、３０、４０、又は４５ｇ／ｍ２〜約６５、７５、８５、９５、又は１００ｇ／ｍ２の坪量を有してもよい。好適な基材は、フィンランド、タンペレ（Tampere）のスオミネン（Suominen）からフィブレラ（FIBRELLA）（商標）３１６０として入手可能であるような、５８ｇ／ｍ２の坪量を有する、ビスコース繊維とポリプロピレン繊維の４０／６０ブレンドを含むカード不織布であってもよい。フィブレラ（FIBRELLA）（商標）３１６０は、６０重量％の１．５デニールのポリプロピレン繊維と４０重量％の１．５デニールのビスコース繊維とを含む、５８ｇ／ｍ２の不織布ウェブである。別の好適な材料は、フィブレラ（FIBRELLA）（商標）３１００であってもよく、これは５０重量％の１．５デニールのポリプロピレン繊維と５０重量％の１．５デニールのビスコース繊維とを含む、６２ｇ／ｍ２の不織布ウェブである。これらの市販の繊維ウェブの双方とも、平均繊維長は約３８ｍｍである。基材として使用するための別の好適な材料は、ドイツ、シュヴァルツェンバッハ／サール（Schwarzenbach/Salle）のサンドラー社（Sandler AG）から入手可能なサワテックス（SAWATEX）（商標）２６４２であってもよい。基材として使用するための更に別の好適な材料は、約５０ｇ／ｍ２〜約６０ｇ／ｍ２の坪量を有してもよく、及びビスコース繊維とポリプロピレン繊維の２０／８０ブレンドを有してもよい。基材は、パルプとビスコース繊維の６０／４０ブレンドであってもよい。
【０１３３】
本発明のローションは、少なくとも約０．０５重量％の固着防止剤及び少なくとも約０．０１％の性能向上剤を含んでもよい。ローションは、約５０重量％以下の固着防止剤及び約３％以下の性能向上剤を含んでもよい。
【０１３４】
拭き取り用品に用いられる好適な水溶性固着防止剤には
−非高分子固着防止剤、例えばグリセロール及び関連するポリオール、例えばソルビトール、マルチトール、キシリトール、ペンタエリスリトール（pentaerythitol）、スクロース、グルコース、マルトース、マルトトリオース、マルトデキストリン、マルトペントース、マルトヘキソース、及びイソマルツロース、エチレングリコール、プロピレングリコール、ブチレングリコールなど、
−ポリエチレングリコール、ポリプロピレングリコール、ポリブチレングリコール、ポリグリセロール、又はエチレンオキシド及びプロピレンオキシドを含むブロックコポリマーを含む、これらの混合物などを含む高分子固着防止剤
−アルコキシル化ポリオール化合物、
並びに上記の組み合わせが挙げられるが、これらに限定されない。
【０１３５】
本発明のローション組成物を含む吸収性物品の製造法
本発明のローション組成物は、ローション組成物を使い捨て吸収性物品のような吸収性製品上に分配するための任意の既知の又はそれ以外の有効な技術により、吸収性物品に適用することができる。ローション組成物を吸収性物品に適用する方法の非限定例としては、噴霧、印刷（例えばフレキソ印刷）、コーティング（例えば接触スロットコーティング及びグラビアコーティング）、押出成形又はこれらの適用技術の組み合わせが挙げられる。ローション組成物の吸収性物品上への適用は、ローション組成物の投与及び／又は付着のためのローション組成物の皮膚上への移動又は移行を促進し、結果として安全かつ有効な量のローション組成物が適用されることになる。そのため、身体に移動又は移行するであろうローション組成物の安全かつ有効な量は、適用されるローション組成物の種類、ローション組成物が適用される身体に面する表面の部分、及びローション組成物を投与するために用いる吸収性物品の種類といった要因に依存する。
【０１３６】
ローション組成物が含まれている吸収性物品の使用中に、着用者の身体に移動する本明細書に記載のローション組成物の量を決定するには、いずれかの好適な方法を使用することができる。ローション組成物の移動量を計算する方法の例には、生体内皮膚類似物質の分析を伴うガスクロマトグラフ分析手順とその他の定量的分析手順とが挙げられる。好適なガスクロマトグラフ手順は、ＰＣＴ国際公開特許ＷＯ  ９９／４５９７３、ドナルドＣ．ロー（Donald C.Roe）らに１９９９年９月１６日公開、により詳細に記載されている。
【０１３７】
本発明による吸収性物品の調製において、ローション組成物は、液体又は半液体として、トップシート、及び／又はレッグカフ、及び／又はバリアカフに適用してもよい。典型的には、ローション組成物は外側表面、すなわち、使用する際に着用者の皮膚と接触する外側表面に適用され、すなわち、ローション組成物は身体に面する表面に適用される。
【０１３８】
ローション組成物は、その融解物から、吸収性物品のトップシート、及び／又はレッグカフ、及び／又はバリアカフに適用される。ローション組成物は、好ましくは周囲温度を超える温度で融解するため、通常は加熱ローション組成物として、トップシート、及び／又はレッグカフ、及び／又はバリアカフに適用される。典型的には、ローション組成物は、トップシート、及び／又はレッグカフ、及び／又はバリアカフに適用される前に、約４０℃〜約１００℃、好ましくは５０℃又は６０℃、更には９０℃から、約１００℃の温度まで加熱される。典型的には、該液体又は半液体の構成成分、及び／又はローション組成物は、液体又は半液体であることを確実にするために加熱される。その後、一旦ローション組成物をトップシート、及び／又はレッグカフ、及び／又はバリアカフに適用すると、トップシート、及び／又はレッグカフ、及び／又はバリアカフの表面に固結化されたコーティングを形成するために冷却固結される。
【０１３９】
ローション組成物を、物品のトップシートの身体に面する表面に、均一に又は不均一に適用することができる。本明細書で不均一とは、ローション組成物の量、場所、分配パターンが、トップシート表面にわたって可変であることを意味する。例えば、トップシート、及び／又はレッグカフ、及び／又はバリアカフの処理面の一部に、より多い又は少ない量のローション組成物を有することができ（すなわち、一部にその他の部分より高い基本重量のローション組成物が含まれる）、全くローション組成物を含まない表面部分を含む。好ましい実施形態では、トップシート、及び／又はレッグカフ、及び／又はバリアカフの表面は、ローション組成物が適用されない領域を有する。
【０１４０】
ローション組成物が不均一に適用される場合、断続的に、すなわち非連続に適用することができる。例えば、ドットなど、小さい液滴（例えばスプレーにより得られる）の個々の図形の適用、矩形（例えばグラビア印刷により得られる）、物品の長手方向又は横方向に交互に塗られるストライプなどを含む、任意のパターンを用いることができる。交互のストライプとは、ローション組成物が適用されない領域で分けられる、ローションが縞模様に適用された領域を意味する。
【０１４１】
該縞は、０．１ｍｍ〜約５０ｍｍ、０．１〜約３０ｍｍ、０．５ｍｍ〜約５０ｍｍ、０．５ｍｍ〜約４０ｍｍ、２ｍｍ〜約４０ｍｍ、２ｍｍ〜約２０ｍｍ、２ｍｍ〜約１５ｍｍ、又は５ｍｍ〜約２０ｍｍの間の幅を有するものであってもよい。ローション組成物を適用しない縞の空隙部は、０．１ｍｍ〜約１００ｍｍ、約０．１ｍｍ〜約５０ｍｍ、０．１〜約３０ｍｍ、約０．５ｍｍ〜約５０ｍｍ、約０．５ｍｍ〜４０ｍｍ、２ｍｍ〜約４０ｍｍ、２ｍｍ〜約２０ｍｍ、２ｍｍ〜約１５ｍｍ、又は５ｍｍ〜約２０ｍｍを有するものであってもよい。物質は、吸収性物品のトップシート、及び／若しくはレッグカフ、及び／若しくはバリアカフに直接適用でき、又は、吸収性物品の所望の部分へ後から付着される別の材料又は構成要素（例えばカレンダーロール）に適用してもよい。例えば、１つ以上の長手方向縞で適用される。該縞は、物品の全長手方向長さに沿って適用されてもよく、又は、該縞は、トップシート又はカフの中央部分、例えば、トップシート又はカフの表面の中央３０％〜７０％にのみ存在することもできる。
【０１４２】
ローション組成物が適用されるパターン、及び／又は適用されるローション組成物の量は、物品の後方３分の１（すなわち、後方腰部区域におけるシャーシ外縁部から開始し、吸収性物品の長手方向長さの３分の１）、物品の中央３分の１、物品の前方３分の１で同じにすることができる。あるいは、ローション組成物が適用されるパターン、及び／又は適用されるローション組成物の量は、物品の後方、中央、及び前方３分の１で異なることができる。
【０１４３】
本発明のローション組成物は固着防止特性を有するため、着用者の皮膚領域、典型的には排泄物で汚染される領域に隣接して置かれる吸収性物品の領域に、組成物を含ませなければならない。
【０１４４】
つまりローション組成物は、臀部及び使用中の着用者の臀部溝長全体、好ましくは生殖器をも含む領域に隣接して置かれる物品の領域に、少なくとも含まれなくてはならない。
【０１４５】
ローション組成物が長手方向の縞の形状で適用される場合、その縞は、好ましくは、吸収性物品の後方腰部区域内に、臀部及び臀部溝長のほとんどをも覆う程度まで、延びる。通常、皮膚に対して広がる排泄物の影響がある領域に対向する領域において、縞の数又は密度を高くすることもできる。更に、通常、皮膚に対して広がる排泄物の影響がある領域に対向する領域において、縞の基本重量を高くすることができる。
【０１４６】
ローション組成物が図形の形状で適用される場合、密度（すなわちドットの互いの近さ）、及び／又はドット寸法、及び／又はドットにより含まれるローション組成物の基本重量を、通常、皮膚に対して広がる排泄物の影響がある領域に対向する領域において、高くすることができる。図形は、円形、楕円形、矩形、三角形、星形、ハート形又は動物の形など、任意の形状及び寸法を有することができる。また、吸収性物品は、異なる形状及び／又は異なる寸法を含むことができる。
【０１４７】
本発明のローション組成物は、本明細書に定義した必須の皮膚治療剤が含まれているローション組成物を用意するために好適ないずれかの既知の、又はさもなければ有効な技術により調製してもよい。結果として得られたローション組成物を、続いてノードセン（Nordsen）ＥＰ  １１−１２−０２のような接触塗布器を用いて吸収性物品のトップシート構成成分に適用できる。
【０１４８】
本発明のローション組成物は、ローション組成物を吸収性物品に適用した結果、安全かつ有効な量のローション組成物を吸収性物品の着用者の皮膚上に移動させることができるように調製する。そのため、ローション組成物は、周囲条件下で相対的に不動であり、吸収性物品の身体に面する表面上に局在し、体温で着用者に容易に移動可能であり、更に過激な貯蔵条件下で完全に液体ではないような製品稠度を有するのが好ましい。換言すれば、ローション組成物は、ローション組成物が通常の接触、着用者の動き、及び／又は身体の熱により皮膚上に容易に移動するように、周囲条件（約２５℃）及び／又は体温（約３７℃）で、好ましくは固体又は半固体である。ローション組成物の稠度は、稠度を測定するための透過度計の使用を伴うＡＳＴＭ  Ｄ５試験方法により測定することができる。典型的には、本発明のローション組成物は、ＡＳＴＭ  Ｄ５試験方法に概説される試験手順により４０℃で測定した場合に、約１０ミリメートル（ｍｍ）〜約３００ｍｍ、好ましくは約２０ｍｍ〜約２５０ｍｍ、より好ましくは約３０ｍｍ〜約２００ｍｍの稠度を有する。
【０１４９】
このローション組成物の固体又は半固体の稠度は、所望のローション組成物の利益を付与するために吸収性物品に適用されるべきローション組成物の相対的に低い濃度を設ける。「半固体」とは、ローション組成物が吸収性物品上の所望の位置に相対的に静止して留まり、並びに物品の望ましくない位置に流動又は移行する傾向がないように、ローション組成物が、擬塑性体又は塑性液体の典型的なレオロジーを有することを意味する。本発明の固体ローション組成物は、同様に特定の位置に留まることができ、物品の望ましくない位置に流動又は移行しない。これらの固体及び半固体のローション組成物は、ローション組成物を物品の意図される位置に局在した状態に保持するのに十分高いが、着用者の皮膚ヘの移動を妨げる程には高くはない粘度を有する。典型的には、固体及び半固体のローション組成物の最終製品は、４０℃で、約３×１０３ダイン／ｃｍ２の剪断応力条件下（吸収性物品が約４０℃の温度条件で貯蔵又は輸送される間の、ローション組成物に適用される剪断応力）で、約１．０×１０６センチポアズ〜約１．０×１０１０センチポアズの範囲の粘度を有する。
【０１５０】
しかしながら、固体及び半固体のローション組成物は、結果としてローション組成物の変形をもたらす剪断応力を適用することにより、ローション組成物の皮膚上に移動又は移行できるように流動可能とされ得る。約４０℃の温度条件下で吸収性物品の着用の間に通常少なくとも１度は起こる剪断応力は、典型的には約１．０×１０６ダイン／ｃｍ２であり、及びこの剪断応力によりローション組成物は約１．０×１０１センチポアズ〜約１．０×１０５センチポアズの粘度を有する結果となり得る。適用された剪断応力下で、ローション組成物がより低い粘度の値を実現するのは、ローション組成物が固体構成成分を含有する一方で、該組成物が液体物質をも含有するという事実によると考えられる。本明細書に記載された吸収性物品着用中に、結果としてローション組成物を着用者の皮膚上へ有効に移動させるように、着用者の皮膚と物品の身体接触面との間に十分な潤滑を得るために低粘度を実現することが望ましい。様々な剪断応力での粘度は、レオメトリックス・インコーポレーション（Rheometrics Incorporation）より入手可能なレオメーター（Rheometer）ＳＲ−２０００のような当該技術分野において既知のレオメーターを使用して測定することができる。
【０１５１】
本明細書に記載した使い捨て吸収性物品のような吸収性物品を組み立てる方法としては、使い捨て吸収性物品を構築及び構成するための当該技術分野において既知の従来技術が挙げられる。例えば、バックシート及び／又はトップシートは、接着剤の均一な連続層、接着剤の模様付き層、又は接着剤の別個の線、螺旋、若しくは点の配列により、吸収性コアに結合させるか、又は互いに結合させることができる。満足のいくものであることが判明した接着剤は、フーラー社（H. B. Fuller Company）により、ＨＬ−１２５８又はＨ−２０３１の名称で製造されている。
【０１５２】
試験方法
皮膚付着（固着防止）（注：明細書中のどこにも説明されていないため「固着防止剤」を削除した）
本方法は、処理後の皮膚表面上に残された、残留人工糊様便（「ＡＢＭ」）の百分率を定量することにより、汚れ又は滲出物の皮膚への付着を評価するために使用されてもよい。ＡＢＭは、実際の幼児のＢＭと同様に、凝集できず、ＡＢＭの一部は皮膚表面上に残留し及びＡＢＭの一部は除去されるという結果を生じる。ローション組成物の効果が高いほど、皮膚表面上の残留ＡＢＭの百分率が低くなる。
【０１５３】
少なくとも８人の健康な成人が、単一のスクリーニング検査に参加する。官能試験員の各々が、４日間の洗い流し期間を完了するが、その間に自らの前腕を洗浄するために、オハイオ州シンシナティ（Cincinnati）のプロクター・アンド・ギャンブル社（The Procter and Gamble Company）により流通されるようなオーレイ（Olay）（登録商標）無香保湿石鹸を使用する。官能試験員は、軟膏、クリーム、又はローションのようないずれかの局所用製品を自らの前腕上にこの洗い流し期間の間及びスクリーニング検査の日も使用することをやめなければならない。試験の日に、官能試験員の腕は、それらに切り傷、擦り傷、及び発疹がないことを確実にするために検査される。いずれかの皮膚異常が存在する場合には、その官能試験員は参加できない。
【０１５４】
テンプレートと先細のマーカーを用い、毛髪がない前腕内側に、最大１０か所の３ｃｍ×３ｃｍの部位、すなわち、各前腕に５か所、一官能試験員につき最大１０か所の部位に印をつける。１つを除く全ての部位をローション組成物で処理する。すなわち、一官能試験員につき、９種の異なるローション組成物を試験する。残りの部位は、固着防止処理を受けず、すなわち陰性対照としての役割を果す。未処理の部位を包含する、様々な処理の場所は、各官能試験員上の部位の中でランダム化されてもよい。試験は、左腕上の肘に最も近い部位において始まり、及び各部位についての試験が完了したら、左腕上の手首に最も近い部位まで、次に右腕上の肘に最も近い部位まで、及び最後に右腕上の手首に最も近い部位まで進行する。処理を行う各部位には、ペンシルベニア州ウェストチェスター（West Chester）のＶＷＲサイエンティフィック（VWR Scientific）から入手可能であるようなカタログ番号５６６１３−４１３の粉末のついていない指サックを使用して、ローション組成物の所定量（３００μｇ／ｍ２）を部位の中央部に適用する。適用したローション組成物は次に、粉末のついていない指サックを使用して、指サックを剤又はローション組成物の上部に置き、１０〜１５秒の合計経過時間の間、数回の左右及び上下動作を使用して皮膚表面全体にわたって指サックを軽く擦ることにより、部位全体にわたって（その境界はテンプレートを使用して作製される印により画定される）広げられる。斜角から部位を調べるとき、試験官は、部位の区域全体にわたって均一な被膜が形成されていることを確実にする必要がある。被膜は、その後の工程に進む前に、空気に曝されたまま、触られずにおよそ１分間放置される。
【０１５５】
室温のＡＢＭを充填され及び気泡がない１ｍＬの注射器、例えばペンシルベニア州ウェストチェスター（West Chester）のＶＷＲサイエンティフィック（VWR Scientific）から入手可能であるようなカタログ番号ＢＤ−３０９６２８は、風袋秤量４桁化学天秤（tared four-place analytical balance）上に設置される。重量が記録される。ＡＢＭを有する注射器が、前腕上の試験部位の中央の上方に、皮膚表面に適度に接近して保持され、並びにプランジャを押すことにより及び注射器上で少しずつ移行していくのを見守ることにより、ＡＢＭのおよそ０．２ｍＬが皮膚上に分与される。ＡＢＭは適度に均一である緻密な盛り上がりを試験部位の中央に形成する必要がある。注射器は、化学天秤上で再秤量され、及び重量が記録される。前腕に送達されたＡＢＭの量は、第１から第２の重量を引くことにより計算される。
【０１５６】
ペンシルベニア州ウェストチェスター（West Chester）のＶＷＲサイエンティフィック（VWR Scientific）から入手可能であるようなカタログ番号１２５７８−２０１、４ｃｍ×４ｃｍの秤量紙片が４桁化学天秤上で風袋を秤量され、前腕の試験部位上のＡＢＭの盛り上がりの上方に中心を定め、及び鉗子を使用してＡＢＭ上に静かに降ろされる。秤量紙は指先で触ってはならないが、これは油をその表面上に移す場合があるためである。次に、およそ３．４ｋＰａ（０．５ｐｓｉ）の下向きの力を発揮する、５００ｇのボトル形状のおもり、例えば、ペンシルベニア州ウェストチェスター（West Chester）のＶＷＲサイエンティフィック（VWR Scientific）から入手可能であるようなカタログ番号１２７６６−５１８が秤量紙の上方に、秤量紙の下のＡＢＭの盛り上がりがおもりの下のおよそ中心にくるように設置される。おもりは３０秒の間、官能試験員により、前腕上で静かに適所に保持されるか又は平衡を保たれてもよい。３０秒間が経過した後、２本の指が秤量紙の両側にそれを適所に保持するために静かに置かれ、及び５００ｇのおもりがゆっくりと持ち上げられる。１つの鉗子を使用して、秤量紙が試験部位からゆっくりとかつ静かに剥がされる。鉗子が秤量紙の下側右隅に設置され、及び秤量紙は秤量紙の上側左隅方向に向かって、上向きにゆっくりと剥がされる。秤量紙を除去するのには、およそ１〜２秒を必要がある。一旦除去されたら、秤量紙は、それが風袋を秤量された化学天秤上に戻され、そして除去されたＡＢＭの量を決定するために重量が記録される。
【０１５７】
上記の工程は、一官能試験員につき全部位が試験されるまで繰り返され、すなわち、ローション組成物の適用、ＡＢＭの適用、秤量紙の適用、おもりの適用、及び秤量紙の除去からなる工程が繰り返される。未処理の対照について、剤又はローション組成物の適用は省かれ、ＡＢＭは皮膚部位に直接適用される。処理後に皮膚表面に残った残留ＡＢＭの重量パーセント（％）は、以下の式に従って重量の測定値から計算される。
【０１５８】
（（適用ＡＢＭ−除去ＡＢＭ）／適用ＡＢＭ）×１００
残留ＡＢＭの平均値、並びに、各ローション組成物及び全ての官能試験員に対する標準誤差が計算される。方法が正しく実施されるとき、未処理対照は通常はおよそ３０％〜３５％の残留ＡＢＭをもたらす。再現可能な結果を確実にするために、固着防止スクリーニング方法（Anti-Stick Screening Method）は、２１℃±２℃の室温で、及び３０〜５０％の相対湿度で実施されることが必要である。
【０１５９】
人工糊様便（Artificial Pasty Bowel Movement）（ＡＢＭ）の調製
次の機器が必要とされる：
−  ±０．００１ｇの精度の化学天秤
−  成分を均質になるまで攪拌することができるホモジナイザー、例えばドイツ、シュタウフェン（Staufen）のイカ・ウェルケ社（Ika-Werke GmbH and Co. KG）から入手可能であるような、イカ・ラボルテクニーク（Ika Labortechnik）（商標）Ｔ２５ベーシック（T25 basic）又は等価物。
−  ホモジナイザーと共に使用されるべきホモジナイザープローブ、例えばドイツ、シュタウフェン（Staufen）のイカ・ウェルケ社（Ika-Werke GmbH and Co. KG）から入手可能であるようなカタログ番号Ｓ２５Ｎ  ２５Ｆ。
【０１６０】
次の試薬が必要とされる：
−  フェクローン（Feclone）（商標）粉末（Powder）＃４、ペンシルベニア州バリー・フォージ（Valley Forge）のシリクローン・スタジオ（SiliClone Studio）からカタログ番号フェクローン（Feclone）ＢＦＰＳ−４として入手可能。
−  フェクローン（Feclone）（商標）粉末（Powder）＃６、ペンシルベニア州バリー・フォージ（Valley Forge）のシリクローン・スタジオ（SiliClone Studio）からカタログ番号ＢＦＰＳ−６として入手可能。
−  フェクローン（Feclone）（商標）粉末（Powder）＃７、ペンシルベニア州バリー・フォージ（Valley Forge）のシリクローン・スタジオ（SiliClone Studio）からカタログ番号ＢＦＰＳ−７として入手可能。
−  カーボポール（商標）９８１、オハイオ州クリーブランド（Cleveland）のＢＦグッドリッチ（BF Goodrich）から入手可能。
−  脱イオン水
上記の試薬の次の量が必要とされる：
【表１】
2010526629.tif 000002
【０１６１】
ＡＢＭを調製するための手順は次の工程からなる：
Ａ．カーボポール（Carbopol）（商標）溶液の調製
１．  ７８．７８ｇ±０．０１ｇの脱イオン水を２５０ｍＬのビーカーの中に秤量する。
２．  ０．９００ｇ±０．００１ｇのカーボポール（Carbopol）（商標）を秤量紙上に秤量する。
３．  ビーカーを磁性攪拌器上に載せ、及び速度を４００ｒｐｍに設定する。
４．  カーボポール（Carbopol）（商標）粉末を水に、約５分間の長さにわたってゆっくりと添加する。カーボポール（Carbopol）（商標）を添加する間、攪拌速度を６００ｒｐｍまでゆっくりと上げる。
５．  一旦カーボポール（Carbopol）（商標）粉末が水に添加されたら、ビーカーを覆い、及び６００ｒｐｍで１５分間混合を続ける。カーボポール（Carbopol）（商標）粉末は完全に分散されなければならず、すなわちいずれの粒塊もなく透明なゲルでなければならない。
６．  ホットプレートを１５０℃で作動する。カーボポール（Carbopol）（商標）溶液をホットプレート上に設置し、及び溶液が８１℃〜８３℃に加熱されるまで、６００ｒｐｍで混合を続ける。
【０１６２】
Ｂ．例示的な実施形態ＡＢＭ混合物の調製
１．  フェクローン（Feclone）粉末＃４、＃６、及び＃７の各々の６．６００ｇ±０．０１ｇをビーカーの中に秤量し、よく混合する。
２．  ホモジナイザープローブを有するＴ２５ベーシック又は等価のホモジナイザーを使用して、カーボポール（Carbopol）（商標）溶液を８０００ｒｐｍで約３０秒間、工程３に進む前に攪拌する。
３．  攪拌されているカーボポール（Carbopol）（商標）溶液に、１度に総量の約４分の１ずつのフェクローン（Feclone）（商標）粉末混合物をゆっくりと添加する。フェクローン（Feclone）（商標）粉末混合物が、添加中にホモジナイザープローブを通り抜けること、すなわち形成している糊様ローション組成物の中に完全に混和することを確実にする。必要であれば、スパチュラを使用して、フェクローン（Feclone）（商標）粉末混合物のローション組成物中への混和を促進する。
４．  フェクローン（Feclone）（商標）粉末混合物のすべてが添加された後、スパチュラを使用して糊様ローション組成物をホモジナイザープローブの方に押しながら、ホモジナイザーを用いて８０００ｒｐｍで更に５分間混合を続ける。ローション組成物は完全に混合され、均質に見える必要がある。
【０１６３】
完成されたＡＢＭは、ペンシルベニア州ウェストチェスター（West Chester）のＶＷＲサイエンティフィック（VWR Scientific）から入手可能であるようなカタログ番号１４２３３−９５４のような容器の中に設置されてもよく、及び３０日間まで冷蔵庫の中で保管されてもよい。３０日後には、新しいサンプルが更なる実験ために調製される必要がある。容器は、ＡＢＭからの乾燥を避けるために、しっかりと封止されなければならない。固着防止スクリーニング方法（Anti-Stick Screening Method）においてＡＢＭを使用する前に、ＡＢＭは冷蔵庫から取り出され及び調整されて室温まで戻されなければならない。これを達成する簡単なやり方は、１０ｍＬの注射器、例えばペンシルベニア州ウェストチェスター（West Chester）のＶＷＲサイエンティフィック（VWR Scientific）から入手可能であるようなカタログ番号ＢＤ３０１６０４を冷たいＡＢＭで充填し、次いで注射器をカウンター台の上で室温に平衡化させることである。平衡化は典型的には、約１５分間かかる。１０ｍＬの注射器は次に、固着防止スクリーニング方法（Anti-Stick Screening Method）に記載される１ｍＬの注射器を充填するために使用されることができる。
【実施例】
【０１６４】
以下のローション組成物の実施例について、上述の皮膚付着試験方法に従い、上述のＡＢＭローション組成物を使用して検査を行った。
【０１６５】
（実施例１）
固着防止ローション組成物：
【表２】
2010526629.tif 000003
【０１６６】
実施例１のローション組成物について、上記で設定した試験方法により決定された残留ＡＢＭの平均百分率は、３％である。
【０１６７】
（実施例２）
固着防止ローション組成物：
【表３】
2010526629.tif 000004
【０１６８】
実施例２のローション組成物について、上記で設定した試験方法により決定された残留ＡＢＭの平均百分率は、３％である。
【０１６９】
（実施例３）
固着防止ローション組成物：
【表４】
2010526629.tif 000005
【０１７０】
実施例３のローション組成物について、上記で設定した試験方法により決定された残留ＡＢＭの平均百分率は、８％である。
【０１７１】
本明細書に開示される寸法及び値は、列挙された正確な数値に厳しく限定されるものとして理解されるべきではない。それよりむしろ、特に指定されない限り、こうした各寸法は、列挙された値とその値周辺の機能的に同等の範囲の両方を意味することを意図する。例えば、「４０ｍｍ」として開示された寸法は、「約４０ｍｍ」を意味することを意図する。
【０１７２】
「発明を実施するための形態」で引用した全ての文献は、関連部分において本明細書に参照により組み込まれるが、いずれの文献の引用も、それが本発明に対する先行技術であることを容認するものと解釈されるべきではない。この文書における用語のいずれかの意味又は定義が、参考として組み込まれる文献における用語のいずれかの意味又は定義と対立する範囲については、本文書におけるその用語に与えられた意味又は定義を適用するものとする。
【０１７３】
以上、本発明の特定の実施形態を図示、説明したが、本発明の趣旨及び範囲から逸脱することなく他の様々な変更及び改変を行うことが可能である点は当業者には自明であろう。したがって本発明の範囲に含まれるすべてのこうした変更及び改変を付属の特許請求の範囲において網羅するものである。
【国際調査報告】
2010526629.tif 000006
2010526629.tif 000007
2010526629.tif 000008
2010526629.tif 000009